(57)【要約】  データ処理方法が第１の通信ノードによって使用されることで、第２の通信ノードが第２のブロックチェーンノードに基づいて検証対象データを検証した後にターゲットブロックを取得する。この出願の実施形態における方法は、第１の通信ノードにより、端末がターゲットセル上に駐留するときに検証対象データを取得し、検証対象データは、端末の駐留情報に基づいて取得され、ターゲットセルは、第１の通信ノードの信号カバレッジ内のセルであり、第１の通信ノードにより、検証対象データを第２の通信ノードに送信し、第２の通信ノードが第２のブロックチェーンノードに基づいて検証対象データを検証するようにし、そして、検証成功であるという検証結果である場合に、第１の通信ノードにより、ターゲットブロックを取得する、ことを含む。
2022501960.tif 000002
【特許請求の範囲】
【請求項１】
データ処理方法であって、当該方法はデータ処理システムに適用され、前記データ処理システムは第１の通信ノード及び第２の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該方法は、
前記第１の通信ノードにより、端末がターゲットセル上に駐留するときに検証対象データを取得し、前記検証対象データは、前記端末の駐留情報に基づいて取得され、前記ターゲットセルは、前記第１の通信ノードの信号カバレッジ内のセルであり、
前記第２の通信ノードが前記第２のブロックチェーンノードに基づいて前記検証対象データを検証するために、前記第１の通信ノードにより、前記検証対象データを前記第２の通信ノードに送信し、
前記検証が成功であるという検証結果である場合に、前記第１の通信ノードにより、ターゲットブロックを取得する、
ことを有する、方法。
【請求項２】
前記端末は、前記端末が前記ターゲットセルにハンドオーバされた後に、前記ターゲットセル上に駐留するステップを実行し、
前記検証対象データが前記端末の駐留情報に基づいて取得されることは、
前記検証対象データが、前記端末がハンドオーバ前に駐留していたセルのセル情報に基づいて前記第１の通信ノードによって生成され、前記端末がハンドオーバ前に駐留していた前記セルの前記セル情報は、前記端末がハンドオーバ前に駐留していた前記セルのものであって前記第２のブロックチェーンノード内にあるセル情報を前記第２の通信ノードがマッチングするために使用される、
ことを有する、
請求項１に記載の方法。
【請求項３】
前記端末は、前記端末が前記ターゲットセルにハンドオーバされた又は前記端末の位置が前記ターゲットセルに更新された後に、前記ターゲットセル上に駐留するステップを実行し、
前記検証対象データが前記端末の駐留情報に基づいて取得されることは、
前記検証対象データが、前記端末の許可レベルに基づいて前記第１の通信ノードによって生成され、前記端末の前記許可レベルは、前記第１の通信ノードに対する前記端末のアクセス許可を、前記第２の通信ノードが前記第２のブロックチェーンノードに基づいて検証するために使用される、
ことを有する、
請求項１に記載の方法。
【請求項４】
前記第１の通信ノードによりターゲットブロックを前記取得することは、
前記第１の通信ノードにより、前記検証対象データに基づいて前記ターゲットブロックを生成する、
ことを有し、
当該方法は更に、
前記第２のブロックチェーンノードによって維持管理される前記ブロックチェーンに前記第２の通信ノードが前記ターゲットブロックを追加するために、前記第１の通信ノードにより、前記ターゲットブロックを前記第２の通信ノードにブロードキャストする、
ことを有し、
前記第１の通信ノードにより前記検証対象データに基づいて前記ターゲットブロックを前記生成することの前に、当該方法は更に、
前記第１の通信ノードにより、前記第２の通信ノードによって送信された検証成功メッセージを受信し、前記検証成功メッセージは、前記ターゲットブロックを生成するステップを実行するように前記第１の通信ノードに指し示すために使用される、
ことを有する、
請求項１乃至３のいずれか一項に記載の方法。
【請求項５】
前記第１の通信ノードによりターゲットブロックを前記取得することは、
前記第１の通信ノードにより、前記検証対象データに基づいて前記第２の通信ノードによって生成された前記ターゲットブロックを取得する、
ことを有する、請求項１乃至３のいずれか一項に記載の方法。
【請求項６】
前記第１の通信ノードによりターゲットブロックを前記取得することの後に、当該方法は更に、
前記第１の通信ノードにより、前記第１のブロックチェーンノードによって維持管理される前記ブロックチェーンに前記ターゲットブロックを追加する、
ことを有する、請求項１乃至３のいずれか一項に記載の方法。
【請求項７】
データ処理方法であって、当該方法はデータ処理システムに適用され、前記データ処理システムは第１の通信ノード及び第２の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該方法は、
端末がターゲットセル上に駐留するときに、前記第２の通信ノードにより、前記第１の通信ノードによって送信された検証対象データを受信し、前記検証対象データは、前記端末の駐留情報に基づいて前記第１の通信ノードによって取得され、前記ターゲットセルは、前記第１の通信ノードの信号カバレッジ内のセルであり、
前記第２の通信ノードにより、前記第２のブロックチェーンノードに基づいて前記検証対象データを検証し、
前記検証が成功であるという検証結果である場合に、前記第２の通信ノードにより、ターゲットブロックを取得する、
ことを有する、方法。
【請求項８】
前記端末は、前記端末が前記ターゲットセルにハンドオーバされた後に、前記ターゲットセル上に駐留するステップを実行し、
前記第２の通信ノードにより前記第２のブロックチェーンノードに基づいて前記検証対象データを前記検証することは、
前記第２の通信ノードにより、前記第２のブロックチェーンノードにおける過去ハンドオーバ記録に基づいて、前記端末がハンドオーバ前に駐留していたセルのセル情報を割り出し、
前記第２の通信ノードにより、前記端末がハンドオーバ前に駐留していた前記セルのものであって前記検証対象データ内にあるセル情報を、前記端末がハンドオーバ前に駐留していた前記セルのものであって前記過去ハンドオーバ記録内にある前記セル情報とマッチングして、マッチング結果を得る、
ことを有する、
請求項７に記載の方法。
【請求項９】
前記端末は、前記端末が前記ターゲットセルにハンドオーバされた又は前記端末の位置が前記ターゲットセルに更新された後に、前記ターゲットセル上に駐留するステップを実行し、
前記第２の通信ノードにより前記第２のブロックチェーンノードに基づいて前記検証対象データを前記検証することは、
前記第２の通信ノードにより、前記検証対象データ内の前記端末の許可レベルを割り出し、
前記第２の通信ノードにより、前記第２のブロックチェーンノードに基づいて、前記第１の通信ノードに対する前記端末のアクセス許可を検証して、検証結果を得る、
ことを有する、
請求項７に記載の方法。
【請求項１０】
前記第２の通信ノードによりターゲットブロックを前記取得することは、
前記第２の通信ノードにより、前記検証対象データに基づいて前記ターゲットブロックを生成する、
ことを有し、
当該方法は更に、
前記第１のブロックチェーンノードによって維持管理される前記ブロックチェーンに前記第１の通信ノードが前記ターゲットブロックを追加するために、前記第２の通信ノードにより、前記ターゲットブロックを前記第１の通信ノードにブロードキャストする、
ことを有する、
請求項７乃至９のいずれか一項に記載の方法。
【請求項１１】
前記第２の通信ノードによりターゲットブロックを前記取得することは、
前記第２の通信ノードにより、前記検証対象データに基づいて前記第１の通信ノードによって生成された前記ターゲットブロックを取得する、
ことを有する、請求項７乃至９のいずれか一項に記載の方法。
【請求項１２】
前記第２の通信ノードによりターゲットブロックを前記取得することの後に、当該方法は更に、
前記第２の通信ノードにより、前記第２のブロックチェーンノードによって維持管理される前記ブロックチェーンに前記ターゲットブロックを追加する、
ことを有する、請求項７乃至９のいずれか一項に記載の方法。
【請求項１３】
データ処理方法であって、当該方法はデータ処理システムに適用され、前記データ処理システムは第１の通信ノード及び第２の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該方法は、
前記第１の通信ノードにより、端末がターゲットセル上に駐留するときに検証対象データを取得し、前記検証対象データは、前記端末の最初のネットワークアクセス認証のデータを有し、前記ターゲットセルは、前記第１の通信ノードの信号カバレッジ内のセルであり、
前記第１の通信ノードにより、前記検証対象データを検証し、
前記第１の通信ノードの検証結果が、前記検証が成功であるというものである場合に、前記第２の通信ノードが前記検証対象データを検証するために、前記第１の通信ノードにより、前記検証対象データを前記第２の通信ノードに送信し、
前記第２の通信ノードの検証結果が、前記検証が成功であるというものである場合に、前記第１の通信ノードにより、ターゲットブロックを取得する、
ことを有する、方法。
【請求項１４】
前記第１の通信ノードによりターゲットブロックを前記取得することの後に、当該方法は更に、
前記第１の通信ノードにより、前記第１のブロックチェーンノードによって維持管理される前記ブロックチェーンに前記ターゲットブロックを追加し、前記ターゲットブロックが追加された前記第１のブロックチェーンノードは、前記最初のネットワークアクセス認証のデータの後である前記端末のネットワークアクセス検証データを検証するために前記第１の通信ノードによって使用される、
ことを有する、請求項１３に記載の方法。
【請求項１５】
データ処理方法であって、当該方法はデータ処理システムに適用され、前記データ処理システムは第１の通信ノード及び第２の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該方法は、
端末がターゲットセル上に駐留するときに、前記第２の通信ノードにより、前記第１の通信ノードによって送信された検証対象データを受信し、前記検証対象データは、前記第１の通信ノードによって成功裏に検証されたデータであり、前記検証対象データは、前記端末の最初のネットワークアクセス認証のデータを有し、前記ターゲットセルは、前記第１の通信ノードの信号カバレッジ内のセルであり、
前記第２の通信ノードにより、前記検証対象データを検証し、
前記第２の通信ノードの検証結果が、前記検証が成功であるというものである場合に、前記第２の通信ノードにより、ターゲットブロックを取得する、
ことを有する、方法。
【請求項１６】
前記第２の通信ノードによりターゲットブロックを前記取得することの後に、当該方法は更に、
前記第２の通信ノードにより、前記第２のブロックチェーンノードによって維持管理される前記ブロックチェーンに前記ターゲットブロックを追加し、前記ターゲットブロックが追加された前記ブロックチェーンは、前記最初のネットワークアクセス認証のデータの後である前記端末のネットワークアクセス検証データを検証するために前記第２の通信ノードによって使用される、
ことを有する、請求項１５に記載の方法。
【請求項１７】
通信ノードであって、当該通信ノードはデータ処理システム内の第１の通信ノードであり、前記データ処理システムは更に第２の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該通信ノードは、
端末がターゲットセル上に駐留するときに検証対象データを取得するように構成された取得ユニットであり、前記検証対象データは、前記端末の駐留情報に基づいて取得され、前記ターゲットセルは、前記第１の通信ノードの信号カバレッジ内のセルである、取得ユニットと、
前記第２の通信ノードが前記第２のブロックチェーンノードに基づいて前記検証対象データを検証するために、前記検証対象データを前記第２の通信ノードに送信するように構成された送信ユニットと、
を有し、
前記取得ユニットは更に、前記検証が成功であるという検証結果である場合にターゲットブロックを取得するように構成される、
通信ノード。
【請求項１８】
前記端末は、前記端末が前記ターゲットセルにハンドオーバされた後に、前記ターゲットセル上に駐留するステップを実行し、
当該通信ノードは更に処理ユニットを有し、
前記検証対象データが前記端末の駐留情報に基づいて取得されることは、
前記検証対象データが、前記端末がハンドオーバ前に駐留していたセルのセル情報に基づいて前記処理ユニットによって生成され、前記端末がハンドオーバ前に駐留していた前記セルの前記セル情報は、前記端末がハンドオーバ前に駐留していた前記セルのものであって前記第２のブロックチェーンノード内にあるセル情報をマッチングするために、前記第２の通信ノードによって使用される、
ことを有する、
請求項１７に記載の通信ノード。
【請求項１９】
前記端末は、前記端末が前記ターゲットセルにハンドオーバされた又は前記端末の位置が前記ターゲットセルに更新された後に、前記ターゲットセル上に駐留するステップを実行し、
当該通信ノードは更に処理ユニットを有し、
前記検証対象データが前記端末の駐留情報に基づいて取得されることは、
前記検証対象データが、前記端末の許可レベルに基づいて前記処理ユニットによって生成され、前記端末の前記許可レベルは、前記第１の通信ノードに対する前記端末のアクセス許可を前記第２のブロックチェーンノードに基づいて検証するために、前記第２の通信ノードによって使用される、
ことを有する、
請求項１７に記載の通信ノード。
【請求項２０】
前記取得ユニットは具体的に、前記検証対象データに基づいて前記ターゲットブロックを生成するように構成され、
当該通信ノードは更に、
前記第２のブロックチェーンノードによって維持管理される前記ブロックチェーンに前記第２の通信ノードが前記ターゲットブロックを追加するために、前記ターゲットブロックを前記第２の通信ノードにブロードキャストするように構成されたブロックブロードキャストユニット、
を有し、
前記取得ユニットは更に、前記第２の通信ノードによって送信された検証成功メッセージを受信するように構成され、前記検証成功メッセージは、前記ターゲットブロックを生成するステップを実行するように前記取得ユニットに指し示すために使用される、
請求項１７乃至１９のいずれか一項に記載の通信ノード。
【請求項２１】
前記取得ユニットは具体的に、前記検証対象データに基づいて前記第２の通信ノードによって生成された前記ターゲットブロックを取得するように構成される、請求項１７乃至１９のいずれか一項に記載の通信ノード。
【請求項２２】
当該通信ノードは更に、
前記第１のブロックチェーンノードによって維持管理される前記ブロックチェーンに前記ターゲットブロックを追加するように構成されたストレージユニット、
を有する、請求項１７乃至１９のいずれか一項に記載の通信ノード。
【請求項２３】
通信ノードであって、当該通信ノードはデータ処理システム内の第２の通信ノードであり、前記データ処理システムは更に第１の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該通信ノードは、
端末がターゲットセル上に駐留するときに、前記第１の通信ノードによって送信された検証対象データを受信するように構成された受信ユニットであり、前記検証対象データは、前記端末の駐留情報に基づいて前記第１の通信ノードによって取得され、前記ターゲットセルは、前記第１の通信ノードの信号カバレッジ内のセルである、受信ユニットと、
前記第２のブロックチェーンノードに基づいて前記検証対象データを検証するように構成された検証ユニットと、
前記検証が成功であるという検証結果である場合にターゲットブロックを取得するように構成された取得ユニットと、
を有する、通信ノード。
【請求項２４】
前記端末は、前記端末が前記ターゲットセルにハンドオーバされた後に、前記ターゲットセル上に駐留するステップを実行し、
前記検証ユニットは具体的に、
前記第２のブロックチェーンノードにおける過去ハンドオーバ記録に基づいて、前記端末がハンドオーバ前に駐留していたセルのセル情報を割り出し、
前記端末がハンドオーバ前に駐留していた前記セルのものであって前記検証対象データ内にあるセル情報を、前記端末がハンドオーバ前に駐留していた前記セルのものであって前記過去ハンドオーバ記録内にある前記セル情報とマッチングして、マッチング結果を得る、
ように構成される、
請求項２３に記載の通信ノード。
【請求項２５】
前記端末は、前記端末が前記ターゲットセルにハンドオーバされた又は前記端末の位置が前記ターゲットセルに更新された後に、前記ターゲットセル上に駐留するステップを実行し、
前記検証ユニットは具体的に、
前記検証対象データ内の前記端末の許可レベルを割り出し、
前記第２のブロックチェーンノードに基づいて、前記第１の通信ノードに対する前記端末のアクセス許可を検証して、検証結果を得る、
ように構成される、
請求項２３に記載の通信ノード。
【請求項２６】
前記取得ユニットは具体的に、前記検証対象データに基づいて前記ターゲットブロックを生成するように構成され、
当該通信ノードは更に、
前記第１のブロックチェーンノードによって維持管理される前記ブロックチェーンに前記第１の通信ノードが前記ターゲットブロックを追加するために、前記ターゲットブロックを前記第１の通信ノードにブロードキャストするように構成されたブロックブロードキャストユニット、
を有する、
請求項２３乃至２５のいずれか一項に記載の通信ノード。
【請求項２７】
前記取得ユニットは具体的に、前記検証対象データに基づいて前記第１の通信ノードによって生成された前記ターゲットブロックを取得するように構成される、請求項２３乃至２５のいずれか一項に記載の通信ノード。
【請求項２８】
当該通信ノードは更に、
前記第２のブロックチェーンノードによって維持管理される前記ブロックチェーンに前記ターゲットブロックを追加するように構成されたストレージユニット、
を有する、請求項２３乃至２５のいずれか一項に記載の通信ノード。
【請求項２９】
通信ノードであって、当該通信ノードはデータ処理システム内の第１の通信ノードであり、前記データ処理システムは更に第２の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該通信ノードは、
端末がターゲットセル上に駐留するときに検証対象データを取得するように構成された取得ユニットであり、前記検証対象データは、前記端末の最初のネットワークアクセス認証のデータを有し、前記ターゲットセルは、前記第１の通信ノードの信号カバレッジ内のセルである、取得ユニットと、
前記検証対象データを検証するように構成された検証ユニットと、
前記検証ユニットの検証結果が、前記検証が成功であるというものである場合に、前記第２の通信ノードが前記検証対象データを検証するために、前記検証対象データを前記第２の通信ノードに送信するように構成された送信ユニットと、
を有し、
前記取得ユニットは更に、前記第２の通信ノードの検証結果が、前記検証が成功であるというものである場合に、ターゲットブロックを取得するように構成される、
通信ノード。
【請求項３０】
当該通信ノードは更に、
前記第１のブロックチェーンノードによって維持管理される前記ブロックチェーンに前記ターゲットブロックを追加するように構成されたストレージユニットであり、前記ターゲットブロックが追加された前記第１のブロックチェーンノードは、前記最初のネットワークアクセス認証のデータの後である前記端末のネットワークアクセス検証データを検証するために前記検証ユニットによって使用される、ストレージユニット、
を有する、請求項２９に記載の通信ノード。
【請求項３１】
通信ノードであって、当該通信ノードはデータ処理システム内の第２の通信ノードであり、前記データ処理システムは更に第１の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該通信ノードは、
端末がターゲットセル上に駐留するときに、前記第１の通信ノードによって送信された検証対象データを受信するように構成された受信ユニットであり、前記検証対象データは、前記第１の通信ノードによって成功裏に検証されたデータであり、前記検証対象データは、前記端末の最初のネットワークアクセス認証のデータを有し、前記ターゲットセルは、前記第１の通信ノードの信号カバレッジ内のセルである、受信ユニットと、
前記検証対象データを検証するように構成された検証ユニットと、
前記検証ユニットの検証結果が、前記検証が成功であるというものである場合に、ターゲットブロックを取得するように構成された取得ユニットと、
を有する、通信ノード。
【請求項３２】
当該通信ノードは更に、
前記第２のブロックチェーンノードによって維持管理される前記ブロックチェーンに前記ターゲットブロックを追加するように構成されたストレージユニットであり、前記ターゲットブロックが追加された前記ブロックチェーンは、前記最初のネットワークアクセス認証のデータの後である前記端末のネットワークアクセス検証データを検証するために前記検証ユニットによって使用される、ストレージユニット、
を有する、請求項３１に記載の通信ノード。
【請求項３３】
メモリと、トランシーバと、プロセッサと、バスシステムとを有する通信ノードであって、
前記メモリは、プログラム命令を格納するように構成され、
前記トランシーバは、前記プロセッサの制御下で情報を受信又は送信するように構成され、
前記プロセッサは、前記メモリ内の前記プログラムを実行するように構成され、
前記バスシステムは、前記メモリ、前記トランシーバ、及び前記プロセッサが互いに通信するために、前記メモリと、前記トランシーバと、前記プロセッサとを接続するように構成され、
前記プロセッサは、前記メモリ内の前記プログラム命令を呼び出して、請求項１乃至１６のいずれか一項に記載の方法を実行するように構成される、
通信ノード。
【請求項３４】
前記通信ノードはチップである、請求項３３に記載の通信ノード。
【請求項３５】
命令を有したコンピュータ読み取り可能記憶媒体であって、前記命令がコンピュータ上で実行されるときに、前記コンピュータが請求項１乃至１６のいずれか一項に記載の方法を実行することが可能にされる、コンピュータ読み取り可能記憶媒体。
【請求項３６】
命令を有したコンピュータプログラムプロダクトであって、前記命令がコンピュータ上で実行されるときに、前記コンピュータが請求項１乃至１６のいずれか一項に記載の方法を実行することが可能にされる、コンピュータプログラムプロダクト。
【発明の詳細な説明】
【技術分野】
【０００１】
この出願は、２０１８年９月３０日に中国特許庁に出願された「データ処理方法及びデータ処理装置」と題された中国特許出願第２０１８１１１６０６５７．９号に対する優先権を主張するものであり、その全体をここに援用する。
【０００２】
この出願は、通信分野に関し、特に、データ処理方法及びデータ処理装置に関する。
【背景技術】
【０００３】
簡単に言えば、従来の衛星通信は、衛星を中継器として使用することにより、地球上の無線通信局によって行われる通信である。衛星通信システムは、一般に、宇宙セグメント、地上セグメント、及びユーザセグメントという３つの部分を含む。宇宙セグメントは、通常、通信衛星であり、地上セグメントは、通常、制御センタ又は様々なゲートウェイであり、ユーザセグメントは、通常、端末である。
【０００４】
図１に示すように、例えば端末がソース衛星からターゲット衛星にハンドオーバされるときなど、端末が衛星ハンドオーバを行うとき、先ず、端末が、例えば測定報告、ハンドオーバ決定、及び無線リソース制御（radio  resource  control、ＲＲＣ）接続設定などの一連の処理を完了するために、ターゲット衛星にハンドオーバ要求を送信する必要がある。ターゲット衛星が、地上セグメントのゲートウェイにパス切替要求を送信し、そして、ゲートウェイから送り返された確認応答（acknowledgement）メッセージを受信する。ソース衛星は、ゲートウェイがパス切替要求に確認応答した後にのみ、ネットワークリソースを解放することができる。斯くして、衛星ハンドオーバプロセスが完了する。その後、コアネットワークから送信されるデータは、ソース衛星によって端末に転送されずに、ターゲット衛星によって端末に転送される。
【０００５】
分かることには、端末が衛星ハンドオーバを行うとき、衛星ハンドオーバプロセスは、宇宙セグメントの衛星装置と地上セグメントのゲートウェイ装置との間でパス切替要求が確認応答された後にのみ完了することができる。しかしながら、通常、頻繁な衛星ハンドオーバが発生する。その場合、衛星とゲートウェイとの間で頻繁に情報が交換される必要がある。これは、大きいネットワークオーバヘッドを生じさせる。
【発明の概要】
【０００６】
この出願の第１の態様は、データ処理方法を提供する。当該方法はデータ処理システムに適用され、データ処理システムは第１の通信ノード及び第２の通信ノードを含み、第１の通信ノードは第１のブロックチェーンノードに対応し、第２の通信ノードは第２のブロックチェーンノードに対応し、第１のブロックチェーンノード及び第２のブロックチェーンノードは、同じブロックチェーン内のノードであり、また、それ故に、同じブロックチェーンを維持管理し、当該方法は以下を含む。
【０００７】
第１の通信ノードは、端末がターゲットセル上に駐留することの後に検証対象データを取得し、ここで、ターゲットセルは、第１の通信ノードの信号カバレッジ内のセルであり、端末がターゲットセル上に駐留することは、端末が第１の通信ノードの信号カバレッジ内に入ることを意味し、検証対象データは、端末がターゲットセル上に駐留することの後に駐留（camping）情報に基づいて、第１の通信ノードによって取得される。
【０００８】
第１の通信ノードは、検証対象データを第２の通信ノードにブロードキャストし、ここで、少なくとも１つの第２の通信ノードが存在し、そして、第２の通信ノードは、第２のブロックチェーンノード及びブロックチェーンの分散データ記憶機能に基づいて、検証対象データを検証することができる。
【０００９】
第１の通信ノードは、検証対象データの検証結果が、検証が成功であるというものである場合に、対象ブロックを取得する。
【００１０】
この出願のこの実施形態は、以下の利点を有する：第２の通信ノード及び第１の通信ノードは各々、１つのブロックチェーンノードに対応し、これらのブロックチェーンノードは、同じブロックチェーンを維持管理する。ここでは、第１の通信ノードは衛星とすることができ、第２の通信ノードは、衛星又はセルラノード、例えば、制御センタ、又はゲートウェイ、又は地上セグメントのセルラ基地局とすることができる。第１の通信ノードは、端末がターゲットセルにアクセスするときに、検証対象データを取得し、検証対象データは、端末の駐留情報に基づいて取得される。そして、第１の通信ノードは、検証対象データを第２の通信ノードに送信し、第２の通信ノードは、第２のブロックチェーンノードに基づいて検証対象データを検証した後に、検証結果を得ることができる。斯くして、端末は、ターゲットセル上に駐留するプロセスを完了することができる。この実施形態において、検証対象データは、第１の通信ノードと第２の通信ノードとの間で送信される。ブロックチェーン内の各ノードは、例えばポイントツーポイント伝送及びコンセンサス機構などの機能を有するので、ブロックチェーン内の各ノードは、検証対象データを検証した後に検証結果を得ることができる。これは、検証対象データの検証プロセスが、ブロックチェーンを用いて完了されることと等価である。検証結果が得られた後、端末はゲートウェイの関与なしにターゲットセル上に駐留することができる。従って、この出願において、端末は、第１の通信ノードと第２の通信ノードとの間でのインタラクションを使用するだけでターゲットセル上に駐留することができ、衛星と地上セグメントのゲートウェイとの間でのデータ交換は必要とされず、それにより、ネットワークオーバヘッドが低減される。
【００１１】
第１の態様によれば、第１の態様の第１の実装において、端末は、端末がセルハンドオーバを実行してターゲットセルにハンドオーバされた後に、ターゲットセル上に駐留するステップを実行することができ、
検証対象データが端末の駐留情報に基づいて取得されることは、
検証対象データが、端末がハンドオーバ前に駐留していたセルのセル情報に基づいて第１の通信ノードによって生成され、端末がハンドオーバ前に駐留していたセルのセル情報は、端末がハンドオーバ前に駐留していたセルのものであって第２のブロックチェーンノードに格納されたセル情報をマッチングして、マッチング結果を得るために、第２の通信ノードによって使用されることができ、第２のブロックチェーンノードは、端末が現在ハンドオーバの前に駐留していた最後のセルについての情報を記録しており、端末が駐留していた最後のセルについての情報が、端末がハンドオーバ前に駐留していたセルのセル情報である、
ことを含む。
【００１２】
この実施形態では、検証対象データを取得するための方法が記述される。ソリューションの実現可能性が向上される。
【００１３】
第１の態様によれば、第１の態様の第２の実装において、端末は、端末がセルハンドオーバを実行してターゲットセルにハンドオーバされた後に、ターゲットセル上に駐留するステップを実行することができ、あるいは、端末は、端末がセル位置更新を実行してセル位置が更新された後に、ターゲットセル上に駐留するステップを実行することができ、
検証対象データが端末の駐留情報に基づいて取得されることは、
検証対象データが、端末の許可レベルに基づいて第１の通信ノードによって生成され、端末の許可レベルは、端末に付与されたセキュリティ許可レベルであり、第２ブロックチェーンノードは、ターゲットセルがアクセスされることが許されるという許可レベルを格納しており、端末の許可レベルは、ターゲットセルにアクセスするための許可を端末が有するかを第２のブロックチェーンノードに基づいて検証するために、第２の通信ノードによって使用されることができる、
ことを含む。
【００１４】
この実施形態では、検証対象データを取得するための他の方法が記述される。ソリューションの実現可能性及び柔軟性が向上される。
【００１５】
第１の態様並びに第１の態様の第１及び第２の実装のいずれかによれば、第１の態様の第３の実装において、第１の通信ノードがターゲットブロックを取得することは、以下を含む。
【００１６】
第１の通信ノードは、検証対象データに基づいてターゲットブロックを生成し得る。
【００１７】
当該方法は更に、以下を含む。
【００１８】
第１の通信ノードがターゲットブロックを生成した後に、第１の通信ノードは、ターゲットブロックを第２の通信ノードにブロードキャストし、そして、第２の通信ノードは、第２のブロックチェーンノードによって維持管理されるブロックチェーンにターゲットブロックを追加することができる。
【００１９】
オプションで、第１の通信ノードが検証対象データに基づいてターゲットブロックを生成する前に、当該方法は更に、以下を含む。
【００２０】
第１の通信ノードは、第２の通信ノードによって送信された検証成功メッセージを受信した後に、検証成功メッセージに基づいてターゲットブロックを生成するステップを実行し得る。
【００２１】
この実施形態では、第１の通信ノードがターゲットブロックを取得する可能なケースが記述される。ソリューションの実現可能性が向上される。
【００２２】
第１の態様並びに第１の態様の第１及び第２の実装のいずれかによれば、第１の態様の第４の実装において、第１の通信ノードがターゲットブロックを取得することは、以下を含む。
【００２３】
第１の通信ノードは、代わりに、第２の通信ノードが検証対象データに基づいてターゲットブロックを生成した後に、ターゲットブロックを取得してもよい。一取得方法は、第２の通信ノードが第１の通信ノードにターゲットブロックをブロードキャストするというものである。
【００２４】
この実施形態では、第１の通信ノードがターゲットブロックを取得する他の可能なケースが記述される。ソリューションの実現可能性及び柔軟性が向上される。
【００２５】
第１の態様並びに第１の態様の第１及び第２の実装のいずれかによれば、第１の態様の第５の実装において、第１の通信ノードがターゲットブロックを取得した後に、第１の通信ノードは、検証対象データに基づいて生成されたターゲットブロックを格納するために、第１のブロックチェーンノードによって維持管理されるブロックチェーンにターゲットブロックを追加し得る。
【００２６】
この実施形態において、ブロックチェーンは、端末が次のセルハンドオーバ又は位置更新を行うときに駐留情報を検証するために、ターゲットブロックを格納し得る。ソリューションの実用性が向上される。
【００２７】
この出願の第２の態様は、データ処理方法を提供する。当該方法はデータ処理システムに適用され、データ処理システムは第１の通信ノード及び第２の通信ノードを含み、第１の通信ノードは第１のブロックチェーンノードに対応し、第２の通信ノードは第２のブロックチェーンノードに対応し、第１のブロックチェーンノード及び第２のブロックチェーンノードは、同じブロックチェーン内のノードであり、また、それ故に、同じブロックチェーンを維持管理し、当該方法は以下を含む。
【００２８】
端末がターゲットセル上に駐留することの後に、第２の通信ノードは、ブロードキャスト方式で第１の通信ノードによって送信された検証対象データを受信し、ここで、ターゲットセルは、第１の通信ノードの信号カバレッジ内のセルであり、端末がターゲットセル上に駐留することは、端末が第１の通信ノードの信号カバレッジ内に入ることを意味し、検証対象データは、端末がターゲットセル上に駐留することの後に駐留情報に基づいて、第１の通信ノードによって取得され、少なくとも１つの第２の通信ノードが存在する。
【００２９】
第２の通信ノードは、第２のブロックチェーンノード及びブロックチェーンの分散データ記憶機能に基づいて、検証対象データを検証し得る。
【００３０】
第２の通信ノードは、検証対象データの検証結果が、検証が成功であるというものである場合に、対象ブロックを取得する。
【００３１】
ここでは、第１の通信ノードは衛星とすることができ、第２の通信ノードは、衛星又はセルラノード、例えば、制御センタ、又はゲートウェイ、又は地上セグメントのセルラ基地局とすることができる。
【００３２】
この実施形態において、検証対象データは、第１の通信ノードと第２の通信ノードとの間で送信される。ブロックチェーン内の各ノードは、例えばポイントツーポイント伝送及びコンセンサス機構などの機能を有するので、ブロックチェーン内の各ノードは、検証対象データを検証した後に検証結果を得ることができる。これは、検証対象データの検証プロセスが、ブロックチェーンを用いて完了されることと等価である。検証結果が得られた後、端末はゲートウェイの関与なしにターゲットセル上に駐留することができる。従って、この出願において、端末は、第１の通信ノードと第２の通信ノードとの間でのインタラクションを使用するだけでターゲットセル上に駐留することができ、衛星と地上セグメントのゲートウェイとの間でのデータ交換は必要とされず、それにより、ネットワークオーバヘッドが低減される。
【００３３】
第２の態様によれば、第２の態様の第１の実装において、端末は、端末がセルハンドオーバを実行してターゲットセルにハンドオーバされた後に、ターゲットセル上に駐留するステップを実行することができ、
第２の通信ノードが第２のブロックチェーンノードに基づいて検証対象データを検証することは、
検証対象データが、端末の駐留情報に基づいて生成され、駐留情報は、セルハンドオーバ前の端末のセル情報を含む、
ことを含む。
【００３４】
第２のブロックチェーンノードは、端末が現在ハンドオーバの前に駐留していた最後のセルについての情報を記録している。端末が駐留していた最後のセルについての情報が、端末がハンドオーバ前に駐留していたセルのセル情報である。第２の通信ノードは、端末がハンドオーバ前に駐留していたセルのものであって第２のブロックチェーンノード内にあるセル情報を、端末がハンドオーバ前に駐留していたセルのものであって検証対象データ内にあるセル情報とマッチングし得る。マッチングが成功である場合、検証結果は、検証が成功であるというものであり、そうでない場合には、検証失敗であるというものである。
【００３５】
この実施形態では、第２の通信ノードが検証対象データを検証する一手法が記述される。ソリューションの実現可能性が向上される。
【００３６】
第２の態様によれば、第２の態様の第２の実装において、端末は、端末がセルハンドオーバを実行してターゲットセルにハンドオーバされた後に、ターゲットセル上に駐留するステップを実行することができ、あるいは、端末は、端末がセル位置更新を実行してセル位置が更新された後に、ターゲットセル上に駐留するステップを実行することができ、
第２の通信ノードが第２のブロックチェーンノードに基づいて検証対象データを検証することは、
検証対象データが、端末の駐留情報に基づいて生成され、駐留情報は、端末の許可レベルを含み、第２の通信ノードは、検証対象データ内の端末の許可レベルを割り出すことができ、端末の許可レベルは、端末に付与されたセキュリティ許可レベルである。
【００３７】
第２ブロックチェーンノードは、ターゲットセルがアクセスされることが許されるという許可レベルを格納している。第２の通信ノードは、ターゲットセルにアクセスするための許可を端末が有するかを第２のブロックチェーンノードに基づいて検証して、検証結果を得ることができる。
【００３８】
この実施形態では、第２の通信ノードが検証対象データを検証する他の一手法が記述される。ソリューションの実現可能性及び柔軟性が向上される。
【００３９】
第２の態様並びに第２の態様の第１及び第２の実装のいずれかによれば、第２の態様の第３の実装において、第２の通信ノードがターゲットブロックを取得することは、以下を含む。
【００４０】
第２の通信ノードは、検証対象データに基づいてターゲットブロックを生成し得る。
【００４１】
当該方法は更に、以下を含む。
【００４２】
第２の通信ノードがターゲットブロックを生成した後、第２の通信ノードは、第１の通信ノードにターゲットブロックをブロードキャストして、第１のブロックチェーンノードによって維持管理されるブロックチェーンに第１の通信ノードがターゲットブロックを追加するようにする。
【００４３】
この実施形態では、第２の通信ノードがターゲットブロックを取得する可能なケースが記述される。ソリューションの実現可能性が向上される。
【００４４】
第２の態様並びに第２の態様の第１及び第２の実装のいずれかによれば、第２の態様の第４の実装において、第２の通信ノードがターゲットブロックを取得することは、以下を含む。
【００４５】
第２の通信ノードは、代わりに、第１の通信ノードが検証対象データに基づいてターゲットブロックを生成した後に、ターゲットブロックを取得してもよい。一取得方法は、第１の通信ノードが第２の通信ノードにターゲットブロックをブロードキャストするというものである。
【００４６】
この実施形態では、第２の通信ノードがターゲットブロックを取得する他の可能なケースが記述される。ソリューションの実現可能性及び柔軟性が向上される。
【００４７】
第２の態様並びに第２の態様の第１及び第２の実装のいずれかによれば、第２の態様の第５の実装において、
第２の通信ノードがターゲットブロックを取得した後に、第２の通信ノードは、検証対象データに基づいて生成されたターゲットブロックを格納するために、第２のブロックチェーンノードによって維持管理されるブロックチェーンにターゲットブロックを追加し得る。
【００４８】
この実施形態において、ブロックチェーンは、端末が次のセルハンドオーバ又は位置更新を行うときに駐留情報を検証するために、ターゲットブロックを格納し得る。ソリューションの実用性が向上される。
【００４９】
この出願の第３の態様は、データ処理方法を提供する。当該方法はデータ処理システムに適用され、データ処理システムは第１の通信ノード及び第２の通信ノードを含み、第１の通信ノードは第１のブロックチェーンノードに対応し、第２の通信ノードは第２のブロックチェーンノードに対応し、第１のブロックチェーンノード及び第２のブロックチェーンノードは、同じブロックチェーン内のノードであり、また、それ故に、同じブロックチェーンを維持管理し、当該方法は以下を含む。
【００５０】
第１の通信ノードは、端末がターゲットセル上に駐留するときに検証対象データを取得し、ここで、ターゲットセルは、第１の通信ノードの信号カバレッジ内のセルであり、端末がターゲットセル上に駐留することは、端末が第１の通信ノードの信号カバレッジ内に入ることを意味し、検証対象データは、端末の最初のネットワークアクセス認証のデータを含み、ネットワークアクセス認証のデータは、端末がネットワークにアクセスするときに端末について許可検証を行うために通信ノードによって使用されるデータであり、第１の通信ノードによって取得される最初のネットワークアクセス認証のデータは、端末によって報告される。
【００５１】
第１の通信ノードは、検証対象データを検証し、ネットワークにアクセスする許可を端末が有するかを判定し、
第１の通信ノードの検証結果が、検証が成功であるというものである場合に、第１の通信ノードは、検証対象データを第２の通信ノードにブロードキャストし、ここで、少なくとも１つの第２の通信ノードが存在し、その結果、第２の通信ノードも、検証対象データを検証し、ネットワークにアクセスする許可を端末が有するかを判定し、
第２の通信ノードの検証結果が、検証が成功であるというものである場合に、第１の通信ノードは、ターゲットブロックを取得することができ、ターゲットブロックは、検証対象データに基づいて生成される。
【００５２】
この実施形態では、最初のネットワークアクセス認証のデータについて、第１の通信ノードは、検証対象データを成功裏に検証した後に、検証対象データを第２のブロックチェーンノードに、検証のためにブロックチェーンにてブロードキャストする。第２のブロックチェーンノードも検証対象データを成功裏に検証した場合に、第１の通信ノードは、ターゲットブロックを取得してターゲットブロックをブロックチェーンに追加し、その結果、端末が次回にネットワークにアクセスするとき、第１の通信ノードは、ターゲットブロックが追加されたブロックチェーンを用いることによって、直接的にネットワークアクセス認証のデータを検証する。衛星と地上セグメントのゲートウェイとの間でのデータ交換は必要とされず、それにより、ネットワークオーバヘッドが低減される。
【００５３】
第３の態様によれば、第３の態様の第１の実装において、第１の通信ノードがターゲットブロックを取得した後、第１の通信ノードは、第１のブロックチェーンノードによって維持管理されるブロックチェーンにターゲットブロックを追加し得る。ブロックチェーンにターゲットブロックが追加された後、第１の通信ノードに対応する第１のブロックチェーンノードもターゲットブロックを格納する。第１の通信ノードは、第１のブロックチェーンノードに基づいて、最初のネットワークアクセス認証のデータの後である端末のネットワークアクセス検証データを検証し得る。
【００５４】
この実施形態では、端末が初めてネットワークにアクセスしたときの端末のネットワークアクセス認証のデータが、ターゲットブロックが生成された後にブロックチェーンに格納されることができ、その後、端末が再びネットワークにアクセスするときに、第１の通信ノードは、以前に格納されたターゲットブロックを用いることによって検証対象データを検証し得る。衛星と地上セグメントのゲートウェイとの間でのデータ交換は必要とされず、それにより、ネットワークオーバヘッドが低減される。
【００５５】
この出願の第４の態様は、データ処理方法を提供する。当該方法はデータ処理システムに適用され、データ処理システムは第１の通信ノード及び第２の通信ノードを含み、第１の通信ノードは第１のブロックチェーンノードに対応し、第２の通信ノードは第２のブロックチェーンノードに対応し、第１のブロックチェーンノード及び第２のブロックチェーンノードは、同じブロックチェーン内のノードであり、また、それ故に、同じブロックチェーンを維持管理し、当該方法は以下を含む。
【００５６】
端末がターゲットセル上に駐留するとき、第２の通信ノードは、第１の通信ノードによって送信された検証対象データを受信し、
ターゲットセルは、第１の通信ノードの信号カバレッジ内のセルであり、端末がターゲットセル上に駐留することは、端末が第１の通信ノードの信号カバレッジ内に入ることを意味し、検証対象データは、最初のネットワークアクセス認証のデータを含み、検証対象データは、第１の通信ノードによって成功裏に検証されたデータであり、ネットワークアクセス認証のデータは、端末がネットワークにアクセスするときに端末について許可検証を行うために通信ノードによって使用されるデータである。
【００５７】
次いで、第２の通信ノードは、検証対象データを検証することができ、
第２の通信ノードの検証結果が、検証が成功であるというものである場合に、第２の通信ノードはターゲットブロックを取得し、ターゲットブロックは、検証対象データに基づいて生成される。
【００５８】
この実施形態では、最初のネットワークアクセス認証のデータについて、第２の通信ノードが検証対象データを成功裏に検証した後に、第２の通信ノードは、ターゲットブロックを取得してターゲットブロックをブロックチェーンに追加し、その結果、端末が次回にネットワークにアクセスするとき、第２の通信ノードは、ターゲットブロックが追加されたブロックチェーンを用いることによって、直接的にネットワークアクセス認証のデータを検証し得る。衛星と地上セグメントのゲートウェイとの間でのデータ交換は必要とされず、それにより、ネットワークオーバヘッドが低減される。
【００５９】
第４の態様によれば、第４の態様の第１の実装において、第２の通信ノードがターゲットブロックを取得した後、第２の通信ノードは、第２のブロックチェーンノードによって維持管理されるブロックチェーンにターゲットブロックを追加し得る。ブロックチェーンにターゲットブロックが追加された後、第２の通信ノードに対応する第２のブロックチェーンノードもターゲットブロックを格納する。第２の通信ノードは、第２のブロックチェーンノードに基づいて、最初のネットワークアクセス認証のデータの後である端末のネットワークアクセス検証データを検証し得る。
【００６０】
この実施形態では、端末が初めてネットワークにアクセスしたときの端末のネットワークアクセス認証のデータが、ターゲットブロックが生成された後にブロックチェーンに格納されることができ、その後、端末が再びネットワークにアクセスするときに、第２の通信ノードは、以前に格納されたターゲットブロックを用いることによって検証対象データを検証し得る。衛星と地上セグメントのゲートウェイとの間でのデータ交換は必要とされず、それにより、ネットワークオーバヘッドが低減される。
【００６１】
この出願の第５の態様は、通信ノードを提供する。当該通信ノードはデータ処理システム内の第１の通信ノードであり、データ処理システムは更に第２の通信ノードを含み、第１の通信ノードは第１のブロックチェーンノードに対応し、第２の通信ノードは第２のブロックチェーンノードに対応し、第１のブロックチェーンノード及び第２のブロックチェーンノードは、同じブロックチェーンを維持管理し、当該通信ノードは、
端末がターゲットセル上に駐留するときに検証対象データを取得するように構成された取得ユニットであり、検証対象データは、端末の駐留情報に基づいて取得され、ターゲットセルは、第１の通信ノードの信号カバレッジ内のセルである、取得ユニットと、
第２の通信ノードが第２のブロックチェーンノードに基づいて検証対象データを検証するように、検証対象データを第２の通信ノードに送信するように構成された送信ユニットと、
を含み、
取得ユニットは更に、検証が成功であるという検証結果である場合にターゲットブロックを取得するように構成される。
【００６２】
第５の態様によれば、第５の態様の第１の実装において、端末は、端末がターゲットセルにハンドオーバされた後に、ターゲットセル上に駐留するステップを実行し、
当該通信ノードは更に処理ユニットを含み、
検証対象データが端末の駐留情報に基づいて取得されることは、
検証対象データが、端末がハンドオーバ前に駐留していたセルのセル情報に基づいて処理ユニットによって生成され、端末がハンドオーバ前に駐留していたセルのセル情報は、端末がハンドオーバ前に駐留していたセルのものであって第２のブロックチェーンノード内にあるセル情報をマッチングするために、第２の通信ノードによって使用される、
ことを含む。
【００６３】
第５の態様によれば、第５の態様の第２の実装において、端末は、端末がターゲットセルにハンドオーバされた又は端末の位置がターゲットセルに更新された後に、ターゲットセル上に駐留するステップを実行し、
当該通信ノードは更に処理ユニットを含み、
検証対象データが端末の駐留情報に基づいて取得されることは、
検証対象データが、端末の許可レベルに基づいて処理ユニットによって生成され、端末の許可レベルは、第１の通信ノードに対する端末のアクセス許可を第２のブロックチェーンノードに基づいて検証するために、第２の通信ノードによって使用される、
ことを含む。
【００６４】
第５の態様並びに第５の態様の第１及び第２の実装のいずれかによれば、第５の態様の第３の実装において、取得ユニットは具体的に、検証対象データに基づいてターゲットブロックを生成するように構成され、
当該通信ノードは更に、
第２のブロックチェーンノードによって維持管理されるブロックチェーンに第２の通信ノードがターゲットブロックを追加するように、ターゲットブロックを第２の通信ノードにブロードキャストするように構成されたブロックブロードキャストユニット、
を含み、
取得ユニットは更に、第２の通信ノードによって送信された検証成功メッセージを受信するように構成され、検証成功メッセージは、ターゲットブロックを生成するステップを実行するように取得ユニットに指し示すために使用される。
【００６５】
第５の態様並びに第５の態様の第１及び第２の実装のいずれかによれば、第５の態様の第４の実装において、取得ユニットは具体的に、検証対象データに基づいて第２の通信ノードによって生成されたターゲットブロックを取得するように構成される。
【００６６】
第５の態様並びに第５の態様の第１及び第２の実装のいずれかによれば、第５の態様の第５の実装において、当該通信ノードは更に、
第１のブロックチェーンノードによって維持管理されるブロックチェーンにターゲットブロックを追加するように構成されたストレージユニット、
を含む。
【００６７】
この出願の第６の態様は、通信ノードを提供する。当該通信ノードはデータ処理システム内の第２の通信ノードであり、データ処理システムは更に第１の通信ノードを含み、第１の通信ノードは第１のブロックチェーンノードに対応し、第２の通信ノードは第２のブロックチェーンノードに対応し、第１のブロックチェーンノード及び第２のブロックチェーンノードは、同じブロックチェーンを維持管理し、当該通信ノードは、
端末がターゲットセル上に駐留するときに、第１の通信ノードによって送信された検証対象データを受信するように構成された受信ユニットであり、検証対象データは、端末の駐留情報に基づいて第１の通信ノードによって取得され、ターゲットセルは、第１の通信ノードの信号カバレッジ内のセルである、受信ユニットと、
第２のブロックチェーンノードに基づいて検証対象データを検証するように構成された検証ユニットと、
検証が成功であるという検証結果である場合にターゲットブロックを取得するように構成された取得ユニットと、
を含む。
【００６８】
第６の態様によれば、第６の態様の第１の実装において、端末は、端末がターゲットセルにハンドオーバされた後に、ターゲットセル上に駐留するステップを実行し、
検証ユニットは具体的に、
第２のブロックチェーンノードにおける過去ハンドオーバ記録に基づいて、端末がハンドオーバ前に駐留していたセルのセル情報を割り出し、
端末がハンドオーバ前に駐留していたセルのものであって検証対象データ内にあるセル情報を、端末がハンドオーバ前に駐留していたセルのものであって過去ハンドオーバ記録内にあるセル情報とマッチングして、マッチング結果を得る、
ように構成される。
【００６９】
第６の態様によれば、第６の態様の第２の実装において、端末は、端末がターゲットセルにハンドオーバされた又は端末の位置がターゲットセルに更新された後に、ターゲットセル上に駐留するステップを実行し、
検証ユニットは具体的に、
検証対象データ内の端末の許可レベルを割り出し、
第２のブロックチェーンノードに基づいて、第１の通信ノードに対する端末のアクセス許可を検証して、検証結果を得る、
ように構成される。
【００７０】
第６の態様並びに第６の態様の第１及び第２の実装のいずれかによれば、第６の態様の第３の実装において、取得ユニットは具体的に、検証対象データに基づいてターゲットブロックを生成するように構成され、
当該通信ノードは更に、
第１のブロックチェーンノードによって維持管理されるブロックチェーンに第１の通信ノードがターゲットブロックを追加するように、ターゲットブロックを第１の通信ノードにブロードキャストするように構成されたブロックブロードキャストユニット、
を含む。
【００７１】
第６の態様並びに第６の態様の第１及び第２の実装のいずれかによれば、第６の態様の第４の実装において、取得ユニットは具体的に、検証対象データに基づいて第１の通信ノードによって生成されたターゲットブロックを取得するように構成される。
【００７２】
第６の態様並びに第６の態様の第１及び第２の実装のいずれかによれば、第６の態様の第５の実装において、当該通信ノードは更に、
第２のブロックチェーンノードによって維持管理されるブロックチェーンにターゲットブロックを追加するように構成されたストレージユニット、
を含む。
【００７３】
この出願の第７の態様は、通信ノードを提供する。当該通信ノードはデータ処理システム内の第１の通信ノードであり、データ処理システムは更に第２の通信ノードを含み、第１の通信ノードは第１のブロックチェーンノードに対応し、第２の通信ノードは第２のブロックチェーンノードに対応し、第１のブロックチェーンノード及び第２のブロックチェーンノードは、同じブロックチェーンを維持管理し、当該通信ノードは、
端末がターゲットセル上に駐留するときに検証対象データを取得するように構成された取得ユニットであり、検証対象データは、端末の最初のネットワークアクセス認証のデータを含み、ターゲットセルは、第１の通信ノードの信号カバレッジ内のセルである、取得ユニットと、
検証対象データを検証するように構成された検証ユニットと、
検証ユニットの検証結果が、検証が成功であるというものである場合に、第２の通信ノードが検証対象データを検証するように、検証対象データを第２の通信ノードに送信するように構成された送信ユニットと、
を含み、
取得ユニットは更に、第２の通信ノードの検証結果が、検証が成功であるというものである場合に、ターゲットブロックを取得するように構成される。
【００７４】
第７の態様によれば、第７の態様の第１の実装において、当該通信ノードは更に、
第１のブロックチェーンノードによって維持管理されるブロックチェーンにターゲットブロックを追加するように構成されたストレージユニットであり、ターゲットブロックが追加された第１のブロックチェーンノードは、最初のネットワークアクセス認証のデータの後である端末のネットワークアクセス検証データを検証するために検証ユニットによって使用される、ストレージユニット、
を含む。
【００７５】
この出願の第８の態様は、通信ノードを提供する。当該通信ノードはデータ処理システム内の第２の通信ノードであり、データ処理システムは更に第１の通信ノードを含み、第１の通信ノードは第１のブロックチェーンノードに対応し、第２の通信ノードは第２のブロックチェーンノードに対応し、第１のブロックチェーンノード及び第２のブロックチェーンノードは、同じブロックチェーンを維持管理し、当該通信ノードは、
端末がターゲットセル上に駐留するときに、第１の通信ノードによって送信された検証対象データを受信するように構成された受信ユニットであり、検証対象データは、第１の通信ノードによって成功裏に検証されたデータであり、検証対象データは、端末の最初のネットワークアクセス認証のデータを含み、ターゲットセルは、第１の通信ノードの信号カバレッジ内のセルである、受信ユニットと、
検証対象データを検証するように構成された検証ユニットと、
検証ユニットの検証結果が、検証が成功であるというものである場合に、ターゲットブロックを取得するように構成された取得ユニットと、
を含む。
【００７６】
第８の態様によれば、第８の態様の第１の実装において、当該通信ノードは更に、
第２のブロックチェーンノードによって維持管理されるブロックチェーンにターゲットブロックを追加するように構成されたストレージユニットであり、ターゲットブロックが追加されたブロックチェーンは、最初のネットワークアクセス認証のデータの後である端末のネットワークアクセス検証データを検証するために検証ユニットによって使用される、ストレージユニット、
を含む。
【００７７】
この出願の第９の態様は、メモリと、トランシーバと、プロセッサと、バスシステムとを含む通信ノードを提供し、
メモリは、プログラム命令を格納するように構成され、
トランシーバは、プロセッサの制御下で情報を受信又は送信するように構成され、
プロセッサは、メモリ内のプログラムを実行するように構成され、
バスシステムは、メモリ、トランシーバ、及びプロセッサが互いに通信するように、メモリと、トランシーバと、プロセッサとを接続するように構成され、
プロセッサは、メモリ内のプログラム命令を呼び出して、第１の態様、第１の態様の第１乃至第５の実装、第２の態様、及び第２の態様の第１乃至第５の実装のいずれか１つに従った方法を実行するように構成される。
【００７８】
第９の態様によれば、第９の態様の第１の実装において、通信ノードはチップである。
【００７９】
この出願の第１０の態様は、命令を含んだコンピュータ読み取り可能記憶媒体を提供する。命令がコンピュータ上で実行されるときに、コンピュータが第１の態様、第１の態様の第１乃至第５の実装、第２の態様、及び第２の態様の第１乃至第５の実装のいずれか１つに従った方法を実行することが可能にされる。
【００８０】
この出願の第１１の態様は、命令を含んだコンピュータプログラムプロダクトを提供する。命令がコンピュータ上で実行されるときに、コンピュータが第１の態様、第１の態様の第１乃至第５の実装、第２の態様、及び第２の態様の第１乃至第５の実装のいずれか１つに従った方法を実行することが可能にされる。
【図面の簡単な説明】
【００８１】
【図１】この出願に従った既存のセルハンドオーバの概略図である。
【図２（ａ）】この出願に従ったデータ処理システムの概略構成図である。
【図２（ｂ）】この出願に従ったデータ処理方法の概略図である。
【図３（ａ）】この出願に従ったデータ処理方法の他の一実施形態の概略図である。
【図３（ｂ）】この出願に従ったデータ処理方法の他の一実施形態の概略図である。
【図４】この出願に従ったセルハンドオーバシナリオの一実施形態の概略図である。
【図５】この出願に従った端末位置更新シナリオの一実施形態の概略図である。
【図６】この出願に従ったデータ処理方法の他の一実施形態の概略図である。
【図７（ａ）】この出願に従ったデータ処理方法の他の一実施形態の概略図である。
【図７（ｂ）】この出願に従ったデータ処理方法の他の一実施形態の概略図である。
【図８】この出願に従った通信ノードの取り得る一構成を示している。
【図９】この出願に従った通信ノードの取り得る他の一構成を示している。
【図１０】この出願に従った通信ノードの取り得る他の一構成を示している。
【図１１】この出願に従った通信ノードの取り得る他の一構成を示している。
【図１２】この出願に従った通信ノードの取り得る他の一構成を示している。
【発明を実施するための形態】
【００８２】
この出願にて開示されるデータ処理方法は、データ処理システムに適用され得る。図２（ａ）に示すように、データ処理システムは、少なくとも２つの通信ノードを含み、各通信ノードが１つのブロックチェーンノードに対応し、これらのブロックチェーンノードは同じブロックチェーンを維持管理する。第１の通信ノードは第１のブロックチェーンノードに対応し、１つの第１の通信ノードが存在する。第２の通信ノードは第２のブロックチェーンノードに対応し、少なくとも１つの第２の通信ノードが存在する。第１の通信ノードは衛星ノードとすることができ、該衛星ノードは、如何なる高度にある衛星であってもよい。第２の通信ノードは、衛星ノードであってもよいし、あるいは、例えば制御センタ、又はゲートウェイ、又は、地上セグメントのセルラ基地局などの、セルラノードであってもよい。これは、ここで特に限定されることではない。データ処理システムは、端末に接続される。端末がセル更新、又はセルハンドオーバ、又は位置更新、又は認証を行うとき、データ処理システムは、ゲートウェイ装置、制御装置、又はこれらに類するものに頼ることなく、端末の要求を処理し得る。
【００８３】
この出願は、例えばブロックチェーンポイントツーポイント伝送、コンセンサス機構、分散データストレージ、及び暗号原理などの機能に基づいて実装される。
【００８４】
ターゲットセルが第１の通信ノードの信号カバレッジ内のセルであることは、ターゲットセル上に駐留することの後に端末が第１の通信ノードの信号カバレッジに入ることを指し示す。
【００８５】
本発明の明細書、特許請求の範囲、及び添付の図面において、用語“第１の”、“第２の”、“第３の”、“第４の”、及びこれらに類するもの（存在すれば）は、同様の対象を区別することを意図しており、必ずしも特定の順序又はシーケンスを示すわけではない。理解されるべきことには、そのようにして呼ばれるデータは、適切な状況において相互に入れ換え可能であり、それ故に、ここに記載される本発明の実施形態は、ここに図示又は説明される順序以外の順序で実施されることができる。また、用語“含む”、“含有する”、及び任意のその他変形は、非排他的な包含に及ぶことを意味し、例えば、ステップ又はユニットのリストを含むプロセス、方法、システム、プロダクト、又は装置は、必ずしもそれらのユニットに限られるわけではなく、明示的には列挙されていない他のユニット、又はそのようなプロセス、方法、システム、プロダクト、又は装置に生来的な他のユニットを含み得る。
【００８６】
図２（ｂ）を参照するに、この出願はデータ処理方法を開示する。当該方法は、セルハンドオーバ又は端末位置更新のシナリオに適用されることができ、以下に説明される。
【００８７】
２０１．  第１の通信ノードが検証対象データを取得する。
【００８８】
端末がターゲットセル上に駐留した後、ターゲットセルは第１の通信ノードの信号カバレッジ内のセルであるので、第１の通信ノードは、端末の駐留情報を取得し、該駐留情報に基づいて検証対象データを取得する。そして、第１の通信ノードは、検証対象データをローカルのストレージユニットに格納する。端末がターゲットセル上に駐留することは、セルハンドオーバ又はセル更新を行った後に端末がターゲットセルにアクセスすることとすることができ、あるいは、端末が位置更新を行った後に位置をターゲットセルに更新することとすることができる。これは、ここで特に限定されることではない。
【００８９】
なお、検証対象データの取り得る一ケースは、検証対象データが端末の駐留情報であるというものである。
【００９０】
２０２．  第１の通信ノードが検証対象データを第２の通信ノードに送信する。
【００９１】
第１の通信ノードは、秘密鍵を用いて検証対象データに署名し、次いで、検証対象データを第２の通信ノードにブロードキャストする。第２の通信ノードは、第１の通信ノードの公開鍵を用いることによって解読を実行して、検証対象データを取得する。そして、第２の通信ノードが、対応する第２のブロックチェーンノードに格納された端末の過去の駐留情報を用いることによって検証対象データを検証して、検証結果を得る。
【００９２】
検証結果が、検証成功であるというものである場合、第２の通信ノードは、検証対象データを、第２の通信ノードのローカルなストレージユニットに格納する。
【００９３】
過去駐留情報は、この出願における第１の通信ノード上に端末が駐留する前の任意の１つ以上の瞬間において端末が第１の通信ノード又は第２の通信ノードに駐留していたときの端末の駐留情報のセットである。
【００９４】
２０３：  検証成功であるという検証結果である場合に、第１の通信ノードがターゲットブロックを取得する。
【００９５】
第１の通信ノードは、検証対象データに関する第２の通信ノードの検証結果が、検証成功であるというものである場合に、ターゲットブロックを取得する。
【００９６】
この実施形態において、検証対象データは、第１の通信ノードと第２の通信ノードとの間で送信される。ブロックチェーン内の各ノードは、検証対象データを検証した後に検証結果を得ることができる。これは、検証対象データの検証プロセスが、ブロックチェーンを用いて完了されることと等価である。検証結果が得られた後、端末はゲートウェイの関与なしにターゲットセル上に駐留することができる。従って、この出願において、端末は、第１の通信ノードと第２の通信ノードとの間でのインタラクションを使用するだけでターゲットセル上に駐留することができ、衛星と地上セグメントのゲートウェイとの間でのデータ交換は必要とされず、それにより、ネットワークオーバヘッドが低減される。
【００９７】
この実施形態において、第１の通信ノードは、ターゲットブロックを複数のやり方で取得する。ブロックチェーンノードのうち１つが競争的又は非競争的に決定され、そのブロックチェーンノードに対応する通信ノードがターゲットブロックを生成する。従って、ターゲットブロックは、第１の通信ノードによって生成されることもあれば、第２の通信ノードによって生成されることもある。図３（ａ）及び図３（ｂ）を参照して、以下、これら２つのケースを別々に説明する。
【００９８】
１．  図３（ａ）を参照して、第１の通信ノードがターゲットブロックを生成するケースを説明する。
【００９９】
３０１．  第１の通信ノードが検証対象データを取得する。
【０１００】
３０２．  第１の通信ノードが検証対象データを第２の通信ノードに送信する。
【０１０１】
この実施形態におけるステップ３０１及び３０２は、前述の実施形態におけるステップ２０１及び２０２と同様である。詳細をここで再び説明することはしない。
【０１０２】
３０３．  第２の通信ノードが検証対象データを検証する。
【０１０３】
第２の通信ノードが検証データを検証する手法及び過去駐留情報の意味は、前述のステップ２０２におけるものと同様である。詳細をここで再び説明することはしない。
【０１０４】
３０４：  検証成功であるという検証結果である場合、第１の通信ノードが検証対象データに基づいてターゲットブロックを生成する。
【０１０５】
検証成功であるという検証結果である場合に、事前設定タイマの計時期間が経過した後、データ処理システムのプロセッサが、第１の通信ノードがターゲットブロックを生成すべきであると決定し、第１の通信ノードは、その期間内に成功裏に検証された全ての検証対象データに基づいて、ターゲットブロックを生成する。
【０１０６】
オプションで、第１の通信ノードは、ターゲットブロックのハッシュ（hash）値を検証し、検証が成功した後に、ターゲットブロックを第１のブロックチェーンノードに追加する。
【０１０７】
検証失敗であるという検証結果である場合、第１の通信ノード及び第２の通信ノードは、ローカルのストレージユニットに格納した検証対象データを削除する。
【０１０８】
オプションで、検証成功であるという検証結果である場合に、第２の通信ノードが更に、検証結果を第１の通信ノードに送信して、検証成功メッセージを取得した後に第１の通信ノードが検証成功メッセージに基づいてターゲットブロックを生成するようにしてもよく、あるいは、第１の通信ノードは、検証成功メッセージを取得することなく直接的にターゲットブロックを生成してもよい。これは、ここで特に限定されることではない。
【０１０９】
３０５：  第１の通信ノードが、ターゲットブロックを第２の通信ノードにブロードキャストする。
【０１１０】
ターゲットブロックを生成した後に、第１の通信ノードは、ターゲットブロックを第２の通信ノードにブロードキャストする。
【０１１１】
３０６：  第２の通信ノードがターゲットブロックをブロックチェーンに追加する。
【０１１２】
第２の通信ノードは、ターゲットブロックのハッシュ値を検証し、検証が成功した後に、第２のブロックチェーンノードによって維持管理されるブロックチェーンにターゲットブロックを追加する。
【０１１３】
２．  図３（ｂ）を参照して、第２の通信ノードがターゲットブロックを生成するケースを説明する。
【０１１４】
３０１．  第１の通信ノードが検証対象データを取得する。
【０１１５】
３０２．  第１の通信ノードが検証対象データを第２の通信ノードに送信する。
【０１１６】
この実施形態におけるステップ３０１及び３０２は、前述の実施形態におけるステップ２０１及び２０２と同様である。詳細をここで再び説明することはしない。
【０１１７】
３０３．  第２の通信ノードが検証対象データを検証する。
【０１１８】
第２の通信ノードが検証データを検証する手法及び過去駐留情報の意味は、前述のステップ２０２におけるものと同様である。詳細をここで再び説明することはしない。
【０１１９】
３０４：  検証成功であるという検証結果である場合、第２の通信ノードが検証対象データに基づいてターゲットブロックを生成する。
【０１２０】
検証成功であるという検証結果である場合に、事前設定タイマの計時期間が経過した後、データ処理システムのプロセッサが、第２の通信ノードがターゲットブロックを生成すべきであると決定し、第２の通信ノードは、その期間内に成功裏に検証された全ての検証対象データに基づいて、ターゲットブロックを生成する。
【０１２１】
オプションで、第２の通信ノードは、ターゲットブロックのハッシュ値を検証し、検証が成功した後に、ターゲットブロックを第２のブロックチェーンノードに追加する。
【０１２２】
検証失敗であるという検証結果である場合、第１の通信ノード及び第２の通信ノードは、ローカルのストレージユニットに格納した検証対象データを削除する。
【０１２３】
３０５：  第２の通信ノードが、ターゲットブロックを第１の通信ノードにブロードキャストする。
【０１２４】
ターゲットブロックを生成した後に、第２の通信ノードは、ターゲットブロックを第１の通信ノードにブロードキャストする。
【０１２５】
３０６：  第１の通信ノードがターゲットブロックをブロックチェーンに追加する。
【０１２６】
第１の通信ノードは、ターゲットブロックのハッシュ値を検証し、検証が成功した後に、第１のブロックチェーンノードにターゲットブロックを追加する。
【０１２７】
この実施形態では、ブロックチェーンノードのうち１つが競争的又は非競争的に決定された後に、そのブロックチェーンノードに対応する通信ノードがターゲットブロックを生成し、そして、ターゲット端末が次の期間に再びその通信ノードによってサービスされるセル上に駐留するときに、ターゲットブロックを使用して、次の期間の検証対象データを検証し得る。
【０１２８】
この出願は、セルハンドオーバシナリオに適用されてもよいし、あるいは、端末位置更新シナリオに適用されてもよい。以下、これら２つのシナリオを説明する。
【０１２９】
図４を参照して、以下、セルハンドオーバシナリオに基づくこの出願の一実施形態を説明する。
【０１３０】
４０１：  端末がターゲットセルにハンドオーバされるときに、第１の通信ノードが検証対象データを取得する。
【０１３１】
端末が、ソース通信ノードの信号カバレッジ内のセルから第１の通信ノードの信号カバレッジ内のセルにハンドオーバされるとき、先ず、ソース通信ノードが、ハンドオーバ要求を第１の通信ノードに送信して、セルハンドオーバを要求する。第１の通信ノードは、端末のアクセスを可能にするために、ハンドオーバ応答識別子をフィードバックする。そして、端末がセルハンドオーバを実行する。
【０１３２】
この実施形態において、ソース通信ノードは、第１の通信ノード以外の、データ処理システム内の任意の通信ノードである。
【０１３３】
この実施形態におけるステップ４０１は、前述の実施形態におけるステップ２０１と同様である。なお、駐留情報は、特に、端末のハンドオーバ記録であり、例えば、ハンドオーバ前に端末が位置していたセルの通信ノードアイデンティティ（identity、ＩＤ）、ハンドオーバ後に端末が位置するセルの通信ノードＩＤ、ハンドオーバ時間、及び第１の通信ノードによって取得される端末装置能力などの、端末の情報を含む。
【０１３４】
４０２．  第１の通信ノードが、検証対象データを第２の通信ノードに送信する。
【０１３５】
この実施形態におけるステップ４０２は、前述の実施形態におけるステップ２０２と同様である。詳細をここで再び説明することはしない。
【０１３６】
４０３．  第２の通信ノードが、第２のブロックチェーンノードに基づいて検証対象データを検証する。
【０１３７】
第２の通信ノードは、第２のブロックチェーンノード内の過去駐留情報に基づいて検証対象データを検証し、過去駐留情報は特に過去ハンドオーバ記録である。検証手法には幾つかの取り得るケースが存在し、以下では説明のための例として、具体的には以下のとおりである２つのケースを使用する。
【０１３８】
Ａ．  第２の通信ノードが、先ず、端末がハンドオーバ前に駐留していたセルのものであって過去ハンドオーバ記録内にあるセル情報を割り出し、次いで、端末がハンドオーバ前に駐留していたセルのものであって検証対象データ内にあるセル情報を割り出し、そして、過去ハンドオーバ記録内のセル情報が検証対象データ内のセル情報と一致するかを判定する。過去ハンドオーバ記録内のセル情報が検証対象データ内のセル情報と一致する場合、第２の通信ノードは、検証結果が、検証成功であるというものであると決定し、過去ハンドオーバ記録内のセル情報が検証対象データ内のセル情報と一致しない場合には、第２の通信ノードは、検証結果が、検証失敗であるというものであると決定する。
【０１３９】
この実施形態において、端末がハンドオーバ前に駐留していたセルのセル情報は、ハンドオーバ前に端末が位置していたセルのＩＤであってもよいし、ハンドオーバ前に端末が位置していたセルのサービスレベルであってもよいし、あるいは、ハンドオーバ前に端末が位置していたセルの他の情報であってもよい。これは、ここで特に限定されることではない。
【０１４０】
例えば、検証対象データから、端末がセルＡからセルＢにハンドオーバされることが分かり得る。過去ハンドオーバ記録からもハンドオーバ前に端末がセルＡにあることが得られる場合、検証結果は、検証成功であるというものである。過去ハンドオーバ記録からはハンドオーバ前に端末がセルＣにあることが得られ、それ故に、端末がセルＡからセルＢにハンドオーバされるというハンドオーバ記録が妥当でない場合には、検証結果は、検証失敗であるというものである。他の一例では、検証対象データから、端末がセルＡからセルＢにハンドオーバされること、及び、セルＡにおける端末のサービスレベルが最も高い優先度であることが分かり得る。過去ハンドオーバ記録からもセルＡにおける端末のサービスレベルが最も高い優先度であることが得られる場合、検証結果は、検証成功であるというものである。過去ハンドオーバ記録からはセルＡにおける端末のサービスレベルが２番目に高い優先度であることが得られ、それ故に、端末がセルＡからセルＢにハンドオーバされるというハンドオーバ記録が妥当でない場合には、検証結果は、検証失敗であるというものである。
【０１４１】
Ｂ．  第２の通信ノードが、検証対象データに基づいて、端末がターゲットセルにハンドオーバされることを割り出し、ターゲットセルがアクセスされることが許されることの過去ハンドオーバ記録内の許可レベルを割り出し、検証対象データ内又は過去ハンドオーバ記録内の端末の許可レベルを割り出し、これら２つの許可レベルに基づいて、端末がターゲットセルにアクセスする許可を有するかを判定する。端末がターゲットセルにアクセスする許可を有する場合、検証は成功であり、そうでない場合には、検証失敗である。例えば、検証対象データから、端末がセルＡからセルＢにハンドオーバされることが分かり得るとともに、過去ハンドオーバ記録から、セルＢにおける端末のセキュリティ許可が、端末に付与されたセキュリティ許可レベルよりも高く、端末の許可レベルは増加されないことが見出される。従って、端末がセルＡからセルＢにハンドオーバされるというハンドオーバ記録は妥当でなく、検証結果は、検証失敗であるというものである。
【０１４２】
４０４：  検証成功であるという検証結果である場合に、第１の通信ノードがターゲットブロックを取得する。
【０１４３】
この実施形態は、前述の実施形態におけるステップ２０３と同様である。詳細をここで再び説明することはしない。
【０１４４】
第１の通信ノードがターゲットブロックを取得した後、ソースノードがネットワークリソースを解放し、第１の通信ノードが端末にネットワークリソースを割り当て、ハンドオーバが完了する。
【０１４５】
この出願において、端末のセルハンドオーバプロセスは、第１の通信ノードと第２の通信ノードとの間でのインタラクションを使用するだけで完了することができ、衛星と地上セグメントのゲートウェイとの間でのデータインタラクションは必要とされず、それにより、ネットワークオーバヘッドが低減される。
【０１４６】
図５を参照して、以下、端末が位置更新を行った後にターゲットセルにアクセスするシナリオに基づくこの出願の一実施形態を説明する。
【０１４７】
５０１：  端末の位置がターゲットセルに更新されるとき、第１の通信ノードが検証対象データを取得する。
【０１４８】
先ず、端末が、アクセスされるセルのシステム情報を取得し、端末の現在位置を割り出し、次いで、現在位置に基づいて、端末が位置更新を行うかを決定する。例えば端末が都市Ａから都市Ｂに移動するなど、端末が位置更新を行う場合、端末は、第１の通信ノードへのランダムアクセスプロセスを開始し、ＲＲＣ接続を確立し、そして、位置更新要求を第１の通信ノードに送信する。端末がターゲットセルにアクセスした後、第１の通信ノードが、駐留情報に基づいて検証対象データを生成する。
【０１４９】
この実施形態におけるステップ５０１は、前述の実施形態におけるステップ２０１と同様である。なお、駐留情報は、特に、例えば端末ＩＤ、駐留時間、及び端末装置能力などの情報である。
【０１５０】
５０２．  第１の通信ノードが、検証対象データを第２の通信ノードに送信する。
【０１５１】
この実施形態におけるステップ５０２は、前述の実施形態におけるステップ２０２と同様である。詳細をここで再び説明することはしない。
【０１５２】
５０３．  第２の通信ノードが、第２のブロックチェーンノードに基づいて検証対象データを検証する。
【０１５３】
第２の通信ノードは、第２のブロックチェーンノード内の過去駐留情報に基づいて検証対象データを検証し、過去駐留情報は特に過去位置更新情報である。具体的な検証手法は以下である。
【０１５４】
第２の通信ノードが、検証対象データに基づいて、端末がターゲットセルにハンドオーバされることを割り出し、ターゲットセルがアクセスされることが許されることの過去ハンドオーバ記録内の許可レベルを割り出し、検証対象データ内又は過去ハンドオーバ記録内の端末の許可レベルを割り出し、これら２つの許可レベルに基づいて、端末がターゲットセルにアクセスする許可を有するかを判定する。端末がターゲットセルにアクセスする許可を有する場合、検証は成功であり、そうでない場合には、検証失敗である。例えば、検証対象データから、端末がセルＡからセルＢにハンドオーバされることが分かり得るとともに、過去ハンドオーバ記録から、セルＢにおける端末のセキュリティ許可が、端末に付与されたセキュリティ許可レベルよりも高く、端末の許可レベルは増加されないことが見出される。従って、端末がセルＡからセルＢにハンドオーバされるというハンドオーバ記録は妥当でなく、検証結果は、検証失敗であるというものである。
【０１５５】
５０４：  検証成功であるという検証結果である場合に、第１の通信ノードがターゲットブロックを取得する。
【０１５６】
この実施形態は、前述の実施形態におけるステップ２０３と同様である。詳細をここで再び説明することはしない。
【０１５７】
第１の通信ノードがターゲットブロックを取得した後、第１の通信ノードが端末にネットワークリソースを割り当て、端末の位置更新が完了する。
【０１５８】
この出願において、端末のセル位置更新プロセスは、第１の通信ノードと第２の通信ノードとの間でのインタラクションを使用するだけで完了することができ、衛星と地上セグメントのゲートウェイとの間でのデータインタラクションは必要とされず、それにより、ネットワークオーバヘッドが低減される。
【０１５９】
図６を参照して、以下、第２の通信ノードの観点からこの出願の一実施形態を説明する。
【０１６０】
６０１．  第２の通信ノードは、第１の通信ノードによって送信された検証対象データを受信する。
【０１６１】
この実施形態におけるステップ６０１は、前述の実施形態におけるステップ２０１と同様である。詳細をここで再び説明することはしない。
【０１６２】
６０２．  第２の通信ノードは、第２のブロックチェーンノードに基づいて検証対象データを検証して、検証結果を得る。
【０１６３】
第２の通信ノードが検証対象データを検証する手法は、前述のステップ２０２におけるそれと同様である。詳細をここで再び説明することはしない。
【０１６４】
同様に、端末ハンドオーバシナリオ及び端末位置更新シナリオの場合に、第２の通信ノードが検証対象データを検証する手法については、図４及び図５の実施形態を参照されたい。詳細をここで再び説明することはしない。
【０１６５】
６０３：  検証成功であるという検証結果である場合に、第２の通信ノードはターゲットブロックを取得する。
【０１６６】
同様に、ターゲットブロックは、第１の通信ノードによって生成され、次いで第２の通信ノードに送信されてもよいし、第２の通信ノードによって生成されてもよい。図３（ａ）及び図３（ｂ）の実施形態を参照されたい。詳細をここで再び説明することはしない。
【０１６７】
この出願は更に、端末のネットワークアクセス認証プロセスに適用され得るものであるデータ処理方法を提供し、以下、それを説明する。
【０１６８】
例えば、端末が、電源投入される、位置更新を実行する、又は初めてネットワークにアクセスする、などのときに、端末が認証を必要とするシナリオにおいて、データ処理システム内の各通信ノードが、端末のネットワークアクセス認証のデータを検証する。端末が初めてネットワークにアクセスするとき、端末のネットワークアクセス認証のデータを成功裏に検証した後、各通信ノードがターゲットブロックを生成し、そのターゲットブロックを対応するブロックチェーンノードに追加する。端末が初めてではなくネットワークにアクセスするとき、各通信ノードは、端末のネットワークアクセス認証のデータを、その通信ノードに対応するブロックチェーンノードに格納された過去のネットワークアクセス認証のデータを用いて検証することができる。図７（ａ）を参照して、以下、その方法を説明する。
【０１６９】
７０１．  第１の通信ノードが検証対象データを取得する。
【０１７０】
端末がターゲットセル上に駐留した後、ターゲットセルは第１の通信ノードの信号カバレッジ内のセルであるので、第１の通信ノードは端末に公開鍵情報を配信して、端末が、第１の通信ノードの公開鍵を用いて端末の公開鍵情報及び端末ＩＤを暗号化し、且つ端末の公開鍵情報及び端末ＩＤを第１の通信ノードにフィードバックするようにする。そして、第１の通信ノードが、第１の通信ノードの秘密鍵を用いて解読を行って端末の公開鍵を取得し、端末の公開鍵を用いてセッション鍵情報を暗号化し、次いで、暗号化したセッション鍵情報を端末に送信する。端末が、端末の秘密鍵を用いて解読を行ってセッション鍵を取得する。端末が、セッション鍵を用いて端末情報を暗号化し、暗号化した端末情報を第１の通信ノードに送信する。
【０１７１】
端末情報は、例えばネットワークアクセス認証のデータ及び端末機器能力などの端末の情報を含む。検証対象データは、ネットワークアクセス認証のデータである。検証対象データを取得した後、第１の通信ノードは、検証対象データをローカルのストレージユニットに格納する。
【０１７２】
端末が初めてネットワークにアクセスするとき、当該方法は以下を含む。
【０１７３】
７０２．  第１の通信ノードが検証対象データを検証する。
【０１７４】
第１の通信ノードは、端末のネットワークアクセス認証のデータを検証し、端末がネットワークにアクセスする許可を有するかを判定する。端末がネットワークにアクセスする許可を有する場合、検証結果は、検証成功であるというものであり、第１の通信ノードは検証対象データを第１の通信ノードのローカルなストレージユニットに格納し、そうでない場合には、検証結果は、検証失敗であるというものである。
【０１７５】
７０３．  第１の通信ノードの検証結果が、検証成功であるというものである場合、第１の通信ノードが検証対象データを第２の通信ノードに送信する。
【０１７６】
第１の通信ノードの検証結果が、検証成功であるというものである場合、第１の通信ノードは、秘密鍵を用いて検証対象データに署名し、次いで、検証対象データを第２の通信ノードにブロードキャストする。第２の通信ノードは、第１の通信ノードの公開鍵を用いて解読を行って、検証対象データを取得する。
【０１７７】
７０４．  第２の通信ノードが検証対象データを検証する。
【０１７８】
第２の通信ノードは、端末のネットワークアクセス認証のデータを検証し、端末がネットワークにアクセスする許可を有するかを判定する。端末がネットワークにアクセスする許可を有する場合、検証結果は、検証成功であるというものであり、第２の通信ノードは検証対象データを第２の通信ノードのローカルなストレージユニットに格納し、そうでない場合には、検証結果は、検証失敗であるというものである。
【０１７９】
７０５．  第２の通信ノードの検証結果が、検証成功であるというものである場合、第１の通信ノードがターゲットブロックを取得する。
【０１８０】
この実施形態におけるステップ７０５は、前述の実施形態におけるステップ２０３と同様である。ブロックチェーンノードのうち１つが競争的又は非競争的に決定され、そのブロックチェーンノードに対応する通信ノードがターゲットブロックを生成する。従って、第１の通信ノードによって取得されるターゲットブロックは、第１の通信ノードによって生成されることもあれば、第２の通信ノードによって生成されることもある。詳細をここで再び説明することはしない。
【０１８１】
ターゲットブロックが生成された後、第１の通信ノード及び第２の通信ノードは各々、対応するブロックチェーンノードにターゲットブロックを追加し、それ故に、端末が再びネットワークにアクセスするときに、各ブロックチェーンノードが、格納されたターゲットブロックを用いて端末のネットワークアクセス認証のデータを検証し得る。
【０１８２】
代わりに、端末が初めてではなくネットワークにアクセスする場合には、図７（ｂ）を参照されたく、この方法は、以下のステップを含む。
【０１８３】
７０１．  第１の通信ノードが検証対象データを取得する。
【０１８４】
この実施形態におけるこのステップは、図７（ａ）の実施形態におけるステップ７０１と同様である。詳細をここで再び説明することはしない。
【０１８５】
７０２．  第１の通信ノードが、第１のブロックチェーンノードに基づいて検証対象データを検証する。
【０１８６】
この実施形態において、第１の通信ノードは、過去のネットワークアクセス認証のデータを格納しており、過去のネットワークアクセス認証のデータは、端末が初めてネットワークにアクセスしたときにブロックチェーンノードに格納されたターゲットブロックとし得る。
【０１８７】
第１の通信ノードが、端末のネットワークアクセス認証のデータを検証し、端末がネットワークにアクセスする許可を有するかを判定することは、具体的に以下である：第１の通信ノードは、端末のネットワークアクセス認証のデータが過去のネットワークアクセス認証のデータに格納されているかを割り出し、端末のネットワークアクセス認証のデータが過去のネットワークアクセス認証のデータに格納されている場合、検証結果は、検証成功であるというものであり、第１の通信ノードは検証対象データを第１の通信ノードのローカルなストレージユニットに格納し、そうでない場合には、検証結果は、検証失敗であるというものである。
【０１８８】
７０３．  第１の通信ノードの検証結果が、検証成功であるというものである場合、第１の通信ノードが検証対象データを第２の通信ノードに送信する。
【０１８９】
第１の通信ノードの検証結果が、検証成功であるというものである場合、第１の通信ノードは、秘密鍵を用いて検証対象データに署名し、次いで、検証対象データを第２の通信ノードにブロードキャストする。第２の通信ノードは、第１の通信ノードの公開鍵を用いて解読を行って、検証対象データを取得する。
【０１９０】
７０４．  第２の通信ノードが、第２のブロックチェーンノードに基づいて検証対象データを検証する。
【０１９１】
この実施形態において、第２のブロックチェーンノードも、過去のネットワークアクセス認証のデータを格納している。
【０１９２】
第２の通信ノードが、端末のネットワークアクセス認証のデータを検証し、端末がネットワークにアクセスする許可を有するかを判定することは、具体的に以下である：第２の通信ノードは、端末のネットワークアクセス認証のデータが過去のネットワークアクセス認証のデータに格納されているかを割り出し、端末のネットワークアクセス認証のデータが過去のネットワークアクセス認証のデータに格納されている場合、検証結果は、検証成功であるというものであり、第２の通信ノードは検証対象データを第２の通信ノードのローカルなストレージユニットに格納し、そうでない場合には、検証結果は、検証失敗であるというものである。
【０１９３】
７０５．  第２の通信ノードの検証結果が、検証成功であるというものである場合、第１の通信ノードがターゲットブロックを取得する。
【０１９４】
この実施形態におけるステップ７０５は、前述の実施形態におけるステップ２０３と同様である。ブロックチェーンノードのうち１つが競争的又は非競争的に決定され、そのブロックチェーンノードに対応する通信ノードがターゲットブロックを生成する。従って、第１の通信ノードによって取得されるターゲットブロックは、第１の通信ノードによって生成されることもあれば、第２の通信ノードによって生成されることもある。詳細をここで再び説明することはしない。
【０１９５】
理解され得ることには、図７（ａ）及び図７（ｂ）に示したデータ処理方法は、端末認証シナリオに適用されるが、それに限られず、端末認証シナリオに類似する他のケースも、この出願の保護範囲に入る。
【０１９６】
分かり得ることには、この出願では、端末が初めてネットワークにアクセスするときに、ターゲットブロックが生成されてブロックチェーンノードに追加され、それ故に、端末が初めてではなくネットワークにアクセスするときには、端末の認証プロセスを、第１の通信ノードと第２の通信ノードとの間でのインタラクションを使用するだけで完了することができ、衛星と地上セグメントのゲートウェイとの間でのデータ交換は必要とされず、それにより、ネットワークオーバヘッドが低減される。
【０１９７】
以上では、この出願をデータ処理方法の観点から説明した。図８を参照して、以下では、この出願における通信ノードの取り得る構成を説明する。
【０１９８】
通信ノード８０は、データ処理システム内の第１の通信ノードであり、データ処理システムは更に第２の通信ノードを含み、第１の通信ノードは第１のブロックチェーンノードに対応し、第２の通信ノードは第２のブロックチェーンノードに対応し、第１のブロックチェーンノード及び第２のブロックチェーンノードは、同じブロックチェーンを維持管理し、通信ノード８０は、
端末がターゲットセル上に駐留するときに検証対象データを取得するように構成された取得ユニット８０１であり、検証対象データは、端末の駐留情報に基づいて取得され、ターゲットセルは、第１の通信ノードの信号カバレッジ内のセルである、取得ユニット８０１と、
第２の通信ノードが第２のブロックチェーンノードに基づいて検証対象データを検証するように、検証対象データを第２の通信ノードに送信するように構成された送信ユニット８０２と、
を含み、
取得ユニット８０１は更に、検証成功であるという検証結果である場合にターゲットブロックを取得するように構成される。
【０１９９】
オプションで、端末は、端末がターゲットセルにハンドオーバされた後に、ターゲットセル上に駐留するステップを実行し、
通信ノードは更に処理ユニット８０３を含み、
検証対象データが端末の駐留情報に基づいて取得されることは、
検証対象データが、端末がハンドオーバ前に駐留していたセルのセル情報に基づいて処理ユニット８０３によって生成され、端末がハンドオーバ前に駐留していたセルのセル情報は、端末がハンドオーバ前に駐留していたセルのものであって第２のブロックチェーンノード内にあるセル情報をマッチングするために、第２の通信ノードによって使用される、
ことを含む。
【０２００】
オプションで、端末は、端末がターゲットセルにハンドオーバされた又は端末の位置がターゲットセルに更新された後に、ターゲットセル上に駐留するステップを実行し、
通信ノードは更に処理ユニット８０３を含み、
検証対象データが端末の駐留情報に基づいて取得されることは、
検証対象データが、端末の許可レベルに基づいて処理ユニット８０３によって生成され、端末の許可レベルは、第１の通信ノードに対する端末のアクセス許可を第２のブロックチェーンノードに基づいて検証するために、第２の通信ノードによって使用される、
ことを含む。
【０２０１】
オプションで、取得ユニット８０１は具体的に、検証対象データに基づいてターゲットブロックを生成するように構成され、
通信ノードは更に、
第２のブロックチェーンノードに第２の通信ノードがターゲットブロックを追加するように、ターゲットブロックを第２の通信ノードにブロードキャストするように構成されたブロックブロードキャストユニット８０４、
を含み、
取得ユニット８０１は更に、第２の通信ノードによって送信された検証成功メッセージを受信するように構成され、検証成功メッセージは、ターゲットブロックを生成するステップを実行するように取得ユニット８０１に指し示すために使用される。
【０２０２】
オプションで、取得ユニット８０１は具体的に、検証対象データに基づいて第２の通信ノードによって生成されたターゲットブロックを取得するように構成される。
【０２０３】
オプションで、通信ノードは更に、
第１のブロックチェーンノードにターゲットブロックを追加するように構成されたストレージユニット８０５、
を含む。
【０２０４】
図９を参照するに、この出願における通信ノードの取り得る他の一構成は、以下である。
【０２０５】
通信ノード９０は、データ処理システム内の第２の通信ノードであり、データ処理システムは更に第１の通信ノードを含み、第１の通信ノードは第１のブロックチェーンノードに対応し、第２の通信ノードは第２のブロックチェーンノードに対応し、第１のブロックチェーンノード及び第２のブロックチェーンノードは、同じブロックチェーンを維持管理し、通信ノード９０は、
端末がターゲットセル上に駐留するときに、第１の通信ノードによって送信された検証対象データを受信するように構成された受信ユニット９０１であり、検証対象データは、端末の駐留情報に基づいて第１の通信ノードによって取得され、ターゲットセルは、第１の通信ノードの信号カバレッジ内のセルである、受信ユニット９０１と、
第２のブロックチェーンノードに基づいて検証対象データを検証するように構成された検証ユニット９０２と、
検証成功であるという検証結果である場合にターゲットブロックを取得するように構成された取得ユニット９０３と、
を含む。
【０２０６】
オプションで、端末は、端末がターゲットセルにハンドオーバされた後に、ターゲットセル上に駐留するステップを実行し、
検証ユニット９０２は具体的に、
第２のブロックチェーンノードにおける過去ハンドオーバ記録に基づいて、ハンドオーバ前の端末のセル情報を決定し、
ハンドオーバ前の端末のものであって検証対象データ内にあるセル情報を、ハンドオーバ前の端末のものであって過去ハンドオーバ記録内にあるセル情報とマッチングして、マッチング結果を得る、
ように構成される。
【０２０７】
オプションで、端末は、端末がターゲットセルにハンドオーバされた又は端末の位置がターゲットセルに更新された後に、ターゲットセル上に駐留するステップを実行し、
検証ユニット９０２は具体的に、
検証対象データ内の端末の許可レベルを決定し、
第２のブロックチェーンノードに基づいて、第１の通信ノードに対する端末のアクセス許可を検証して、検証結果を得る、
ように構成される。
【０２０８】
オプションで、取得ユニット９０３は具体的に、検証対象データに基づいてターゲットブロックを生成するように構成され、
通信ノードは更に、
第１のブロックチェーンノードによって維持管理されるブロックチェーンに第１の通信ノードがターゲットブロックを追加するように、ターゲットブロックを第１の通信ノードにブロードキャストするように構成されたブロックブロードキャストユニット９０４、
を含む。
【０２０９】
オプションで、取得ユニット９０３は具体的に、検証対象データに基づいて第１の通信ノードによって生成されたターゲットブロックを取得するように構成される。
【０２１０】
オプションで、通信ノードは更に、
第１のブロックチェーンノードにターゲットブロックを追加するように構成されたストレージユニット９０５、
を含む。
【０２１１】
図１０を参照するに、この出願における通信ノードの取り得る他の一構成は、以下である。
【０２１２】
通信ノード１００は、データ処理システム内の第１の通信ノードであり、データ処理システムは更に第２の通信ノードを含み、第１の通信ノードは第１のブロックチェーンノードに対応し、第２の通信ノードは第２のブロックチェーンノードに対応し、第１のブロックチェーンノード及び第２のブロックチェーンノードは、同じブロックチェーンを維持管理し、通信ノード１００は、
端末がターゲットセル上に駐留するときに検証対象データを取得するように構成された取得ユニット１００１であり、検証対象データは、端末の最初のネットワークアクセス認証のデータを含み、ターゲットセルは、第１の通信ノードの信号カバレッジ内のセルである、取得ユニット１００１と、
検証対象データを検証するように構成された検証ユニット１００２と、
検証ユニット１００２の検証結果が、検証成功であるというものである場合に、第２の通信ノードが検証対象データを検証するように、検証対象データを第２の通信ノードに送信するように構成された送信ユニット１００３と、
を含み、
取得ユニット１００１は更に、第２の通信ノードの検証結果が、検証成功であるというものである場合に、ターゲットブロックを取得するように構成される。
【０２１３】
オプションで、通信ノードは更に、
第１のブロックチェーンノードによって維持管理されるブロックチェーンにターゲットブロックを追加するように構成されたストレージユニット１００４であり、ターゲットブロックが追加された第１のブロックチェーンノードは、最初のネットワークアクセス認証のデータの後である端末のネットワークアクセス検証データを検証するために検証ユニット１００２によって使用される、ストレージユニット１００４、
を含む。
【０２１４】
図１１を参照するに、この出願における通信ノードの取り得る他の一構成は、以下である。
【０２１５】
通信ノード１１０は、データ処理システム内の第２の通信ノードであり、データ処理システムは更に第１の通信ノードを含み、第１の通信ノードは第１のブロックチェーンノードに対応し、第２の通信ノードは第２のブロックチェーンノードに対応し、第１のブロックチェーンノード及び第２のブロックチェーンノードは、同じブロックチェーンを維持管理し、通信ノード１１０は、
端末がターゲットセル上に駐留するときに、第１の通信ノードによって送信された検証対象データを受信するように構成された受信ユニット１１０１であり、検証対象データは、第１の通信ノードによって成功裏に検証されたデータであり、検証対象データは、端末の最初のネットワークアクセス認証のデータを含み、ターゲットセルは、第１の通信ノードの信号カバレッジ内のセルである、受信ユニット１１０１と、
検証対象データを検証するように構成された検証ユニット１１０２と、
検証ユニット１１０２の検証結果が、検証成功であるというものである場合に、ターゲットブロックを取得するように構成された取得ユニット１１０３と、
を含む。
【０２１６】
オプションで、通信ノードは更に、
第２のブロックチェーンノードにターゲットブロックを追加するように構成されたストレージユニット１１０４であり、ターゲットブロックが追加されたブロックチェーンは、最初のネットワークアクセス認証のデータの後である端末のネットワークアクセス検証データを検証するために検証ユニット１１０２によって使用される、ストレージユニット１１０４、
を含む。
【０２１７】
なお、例えば装置のモジュール／ユニット間での情報交換及びその実行プロセスなどの内容は、この出願の方法実施形態と同じ考えに基づいており、この出願の方法実施形態と同じ技術的効果を生み出す。具体的な内容については、この出願の方法実施形態における前述の説明を参照されたく、詳細をここで再び説明することはしない。
【０２１８】
図１２を参照して、以下、この出願における通信ノード１２０の取り得る他の一構成を説明する。通信ノード１２０は、
受信器１２０１、送信器１２０２、プロセッサ１２０３、及びメモリ１２０４を含んでいる（通信ノード１２０には１つ以上のプロセッサ１２０３が存在することができ、図１２では１つのプロセッサが使用される例を用いている）。この出願の一部の実施形態において、受信器１２０１、送信器１２０２、プロセッサ１２０３、及びメモリ１２０４は、バスを使用することによって又は他の手法にて接続されることができ、図１２では、受信器１２０１、送信器１２０２、プロセッサ１２０３、及びメモリ１２０４が、バスを使用することによって接続される例を用いている。代わりに、メモリは、プロセッサと集積されてもよい。
【０２１９】
メモリ１２０４は、読み出し専用メモリ及びランダムアクセスメモリを含むことができ、命令及びデータをプロセッサ１２０３に提供することができる。メモリ１２０４の一部が更に、不揮発性ランダムアクセスメモリ（英語の正式名でnon-volatile  random  access  memory、略してＮＶＲＡＭ）を含んでもよい。メモリ１２０４は、オペレーティングシステム及び操作命令、実行可能モジュール若しくはデータ構造、又はこれらのサブセット、又はこれらの拡張セットを格納する。操作命令は、種々の操作を実装するために使用される種々の操作命令を含み得る。オペレーティングシステムは、種々の基本サービスを実装するため及びハードウェアベースのタスクを処理するために使用される種々のシステムプログラムを含み得る。
【０２２０】
プロセッサ１２０３は、通信ノード１２０の動作を制御し、また、プロセッサ１２０３は、中央演算処理ユニット（英語の正式名でcentral  processing  unit、略してＣＰＵ）として参照されることもある。特定の用途において、通信ノード１２０のコンポーネントは、バスシステムを使用することによって共に結合される。バスシステムは、データバスに加えて、電力バス、制御バス、及びステータス信号バスを含む。しかしながら、明瞭な説明のため、図中の様々なタイプのバスをバスシステムとして記す。
【０２２１】
この出願の実施形態にて開示される方法は、プロセッサ１２０３に適用されることができ、あるいはプロセッサ１２０３を使用することによって実施されることができる。プロセッサ１２０３は、集積回路チップであってもよく、信号処理能力を有する。一実装プロセスにおいて、前述の方法におけるステップは、プロセッサ１２０３内のハードウェア集積論理回路を使用することによって、又はソフトウェアの形態の命令を使用することによって実装されることができる。プロセッサ１２０３は、汎用プロセッサ、デジタル信号プロセッサ（英語の正式名でdigital  signal  processing、略してＤＳＰ）、特定用途向け集積回路（英語の正式名でapplication  specific  integrated  circuit、略してＡＳＩＣ）、フィールドプログラマブルゲートアレイ（英語の正式名でfield-programmable  gate  array、略してＦＰＧＡ）、又は他のプログラマブル論理デバイス、ディスクリートのゲート若しくはトランジスタ論理デバイス、又はディスクリートのハードウェアコンポーネントとし得る。プロセッサ１２０３は、この出願の実施形態にて開示される方法、ステップ、及び論理ブロック図を実装又は実行し得る。汎用プロセッサは、マイクロプロセッサであってもよく、又はプロセッサは、任意の従来からのプロセッサなどであってもよい。この出願の実施形態を参照して開示される方法のステップは、ハードウェア復号プロセッサを用いて直接的に実行され完了されてもよいし、あるいは、復号プロセッサ内のハードウェア及びソフトウェアモジュールの組み合わせを用いて実行され完了されてもよい。ソフトウェアモジュールは、例えばランダムアクセスメモリ、フラッシュメモリ、読み出し専用メモリ、プログラム可能読み出し専用メモリ、電気的消去可能プログラム可能メモリ、レジスタ、又はこれらに類するものなどの、技術的に成熟した記憶媒体内に置かれ得る。記憶媒体は、メモリ１２０４内に位置し、プロセッサ１２０３が、メモリ１２０４内の情報を読み出し、プロセッサ１２０３のハードウェアと組み合わさって、前述の方法におけるステップを完了する。
【０２２２】
受信器１２０１は、入力デジタル情報又は文字情報を受信し、通信ノードの関連設定及び機能制御に関係する信号入力を生成するように構成され得る。送信器１２０２は、例えば表示スクリーンなどの表示装置を含んでもよく、送信器１２０２は、外部インターフェースを用いることによってデジタル情報又は文字情報を出力するように構成され得る。
【０２２３】
この出願のこの実施形態において、プロセッサ１２０３は、前述の方法を実行するように構成される。
【０２２４】
さらに、留意すべきことには、記載される装置実施形態は単に一例に過ぎない。別々の部分として記載されるユニットは物理的に別々であってもなくてもよく、また、ユニットとして表示される部分は物理的なユニットであってもなくてもよく、１つの位置に配置されてもよいし、あるいは、複数のネットワークユニット上に分散されてもよい。モジュールのうちの一部又は全てが、実施形態のソリューションの目的を達成するために、実際のニーズに従って選択され得る。さらに、この出願によって提供される装置実施形態の添付の図において、モジュール間の接続関係は、それらのモジュールが互いに、１つ以上の通信バス又は信号ケーブルとして具体的に実装され得るものである通信接続を有することを示している。
【０２２５】
前述の実装の説明に基づいて当業者が明確に理解し得ることには、この出願は、必要なユニバーサルハードウェアに加えてのソフトウェアによって実装されてもよいし、あるいは、専用集積回路、専用ＣＰＵ、専用メモリ、専用コンポーネント、及びこれらに類するものを含め、専用ハードウェアによって実装されてもよい。一般に、コンピュータプログラムによって実行されることが可能な如何なる機能も、対応するハードウェアを用いて容易に実装されることができる。さらに、同じ機能を達成するために使用される具体的なハードウェア構成は、例えば、アナログ回路、デジタル回路、専用回路、又はこれらに類するものの形態といった、様々な形態のものとし得る。しかしながら、この出願に関しては、殆どのケースでソフトウェアプログラム実装の方が良い実装である。このような理解に基づき、この出願の技術的ソリューションは基本的に、又は先行技術に対して寄与する部分は、ソフトウェアプロダクトの形態で実装され得る。ソフトウェアプロダクトは、例えばフロッピーディスク、ＵＳＢフラッシュドライブ、リムーバブルハードディスク、読み出し専用メモリ（read-only  memory、ＲＯＭ）、ランダムアクセスメモリ（random  access  memory、ＲＡＭ）、磁気ディスク、又は光ディスクなどの、コンピュータの読み取り可能記憶媒体に格納され、また、この出願の実施形態に記載される方法を実行するようにコンピュータ装置（パーソナルコンピュータ、サーバ、ネットワーク装置、及びこれらに類するものとし得る）に指示するための幾つかの命令を含む。
【０２２６】
上述の実施形態の全て又は一部は、ソフトウェア、ハードウェア、ファームウェア、又はこれらの何らかの組み合わせを用いて実装され得る。実施形態を実装するのにソフトウェアが使用される場合、実施形態は、コンピュータプログラムプロダクトの形態で完全に又は部分的に実装され得る。
【０２２７】
コンピュータプログラムプロダクトは、１つ以上のコンピュータ命令を含む。コンピュータプログラム命令がコンピュータにロードされて実行されるときに、この出願の実施形態に従った手順又は機能が全て又は部分的に生成される。コンピュータは、汎用コンピュータ、専用コンピュータ、コンピュータネットワーク、又は他のプログラム可能な装置とし得る。コンピュータ命令は、コンピュータ読み取り可能記憶媒体に格納されることができ、あるいは、コンピュータ読み取り可能記憶媒体から別のコンピュータ読み取り可能記憶媒体に送られることができる。例えば、コンピュータ命令は、ウェブサイト、コンピュータ、サーバ、又はデータセンタから、有線（例えば、同軸ケーブル、光ファイバ、又はデジタル加入者回線（ＤＳＬ））方式又は無線（例えば、赤外線、無線、及びマイクロ波、及び／又はこれらに類するもの）方式で、別のウェブサイト、コンピュータ、サーバ、又はデータセンタに送られ得る。コンピュータ読み取り可能記憶媒体は、コンピュータによってアクセス可能な任意の使用可能な媒体であってもよいし、あるいは、１つ以上の使用可能な媒体を統合する例えばサーバ若しくはデータセンタなどのデータストレージ装置であってもよい。使用可能な媒体は、磁気媒体（例えば、フロッピーディスク、ハードディスク、又は磁気テープ）、光媒体（例えば、ＤＶＤ）、半導体媒体（例えば、ソリッドステートドライブ（Solid  State  Disk、ＳＳＤ））、又はこれらに類するものとし得る。
【図１】
2022501960.tif 000003
【図２（ａ）】
2022501960.tif 000004
【図２（ｂ）】
2022501960.tif 000005
【図３（ａ）】
2022501960.tif 000006
【図３（ｂ）】
2022501960.tif 000007
【図４】
2022501960.tif 000008
【図５】
2022501960.tif 000009
【図６】
2022501960.tif 000010
【図７（ａ）】
2022501960.tif 000011
【図７（ｂ）】
2022501960.tif 000012
【図８】
2022501960.tif 000013
【図９】
2022501960.tif 000014
【図１０】
2022501960.tif 000015
【図１１】
2022501960.tif 000016
【図１２】
2022501960.tif 000017
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
データ処理方法であって、当該方法はデータ処理システムに適用され、前記データ処理システムは第１の通信ノード及び第２の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該方法は、
前記第１の通信ノードにより、端末がターゲットセル上に駐留するときに検証対象データを取得し、前記検証対象データは、前記端末の駐留情報に基づいて取得され、前記ターゲットセルは、前記第１の通信ノードの信号カバレッジ内のセルであり、
前記第２の通信ノードが前記第２のブロックチェーンノードに基づいて前記検証対象データを検証するために、前記第１の通信ノードにより、前記検証対象データを前記第２の通信ノードに送信し、
前記検証が成功であるという検証結果である場合に、前記第１の通信ノードにより、ターゲットブロックを取得する、
ことを有する、方法。
【請求項２】
前記端末は、前記端末が前記ターゲットセルにハンドオーバされた後に、前記ターゲットセル上に駐留するステップを実行し、
前記検証対象データが前記端末の駐留情報に基づいて取得されることは、
前記検証対象データが、前記端末がハンドオーバ前に駐留していたセルのセル情報に基づいて前記第１の通信ノードによって生成され、前記端末がハンドオーバ前に駐留していた前記セルの前記セル情報は、前記端末がハンドオーバ前に駐留していた前記セルのものであって前記第２のブロックチェーンノード内にあるセル情報を前記第２の通信ノードがマッチングするために使用される、
ことを有する、
請求項１に記載の方法。
【請求項３】
前記端末は、前記端末が前記ターゲットセルにハンドオーバされた又は前記端末の位置が前記ターゲットセルに更新された後に、前記ターゲットセル上に駐留するステップを実行し、
前記検証対象データが前記端末の駐留情報に基づいて取得されることは、
前記検証対象データが、前記端末の許可レベルに基づいて前記第１の通信ノードによって生成され、前記端末の前記許可レベルは、前記第１の通信ノードにアクセスするための前記端末のアクセス許可を、前記第２の通信ノードが前記第２のブロックチェーンノードに基づいて検証するために使用される、
ことを有する、
請求項１に記載の方法。
【請求項４】
前記第１の通信ノードによりターゲットブロックを前記取得することは、
前記第１の通信ノードにより、前記検証対象データに基づいて前記ターゲットブロックを生成する、
ことを有し、
当該方法は更に、
前記第２のブロックチェーンノードによって維持管理される前記ブロックチェーンに前記第２の通信ノードが前記ターゲットブロックを追加するために、前記第１の通信ノードにより、前記ターゲットブロックを前記第２の通信ノードにブロードキャストする、
ことを有し、
前記第１の通信ノードにより前記検証対象データに基づいて前記ターゲットブロックを前記生成することの前に、当該方法は更に、
前記第１の通信ノードにより、前記第２の通信ノードによって送信された検証成功メッセージを受信し、前記検証成功メッセージは、前記ターゲットブロックを生成するステップを実行するように前記第１の通信ノードに指し示すために使用される、
ことを有する、
請求項１乃至３のいずれか一項に記載の方法。
【請求項５】
前記第１の通信ノードによりターゲットブロックを前記取得することは、
前記第１の通信ノードにより、前記検証対象データに基づいて前記第２の通信ノードによって生成された前記ターゲットブロックを取得する、
ことを有する、請求項１乃至３のいずれか一項に記載の方法。
【請求項６】
前記第１の通信ノードによりターゲットブロックを前記取得することの後に、当該方法は更に、
前記第１の通信ノードにより、前記第１のブロックチェーンノードによって維持管理される前記ブロックチェーンに前記ターゲットブロックを追加する、
ことを有する、請求項１乃至３のいずれか一項に記載の方法。
【請求項７】
データ処理方法であって、当該方法はデータ処理システムに適用され、前記データ処理システムは第１の通信ノード及び第２の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該方法は、
端末がターゲットセル上に駐留するときに、前記第２の通信ノードにより、前記第１の通信ノードによって送信された検証対象データを受信し、前記検証対象データは、前記端末の駐留情報に基づいて前記第１の通信ノードによって取得され、前記ターゲットセルは、前記第１の通信ノードの信号カバレッジ内のセルであり、
前記第２の通信ノードにより、前記第２のブロックチェーンノードに基づいて前記検証対象データを検証し、
前記検証が成功であるという検証結果である場合に、前記第２の通信ノードにより、ターゲットブロックを取得する、
ことを有する、方法。
【請求項８】
前記端末は、前記端末が前記ターゲットセルにハンドオーバされた後に、前記ターゲットセル上に駐留するステップを実行し、
前記第２の通信ノードにより前記第２のブロックチェーンノードに基づいて前記検証対象データを前記検証することは、
前記第２の通信ノードにより、前記第２のブロックチェーンノードにおける過去ハンドオーバ記録に基づいて、前記端末がハンドオーバ前に駐留していたセルのセル情報を割り出し、
前記第２の通信ノードにより、前記端末がハンドオーバ前に駐留していた前記セルのものであって前記検証対象データ内にあるセル情報を、前記端末がハンドオーバ前に駐留していた前記セルのものであって前記過去ハンドオーバ記録内にある前記セル情報とマッチングして、マッチング結果を得る、
ことを有する、
請求項７に記載の方法。
【請求項９】
前記端末は、前記端末が前記ターゲットセルにハンドオーバされた又は前記端末の位置が前記ターゲットセルに更新された後に、前記ターゲットセル上に駐留するステップを実行し、
前記第２の通信ノードにより前記第２のブロックチェーンノードに基づいて前記検証対象データを前記検証することは、
前記第２の通信ノードにより、前記検証対象データ内の前記端末の許可レベルを割り出し、
前記第２の通信ノードにより、前記第２のブロックチェーンノードに基づいて、前記第１の通信ノードに対する前記端末のアクセス許可を検証して、検証結果を得る、
ことを有する、
請求項７に記載の方法。
【請求項１０】
前記第２の通信ノードによりターゲットブロックを前記取得することは、
前記第２の通信ノードにより、前記検証対象データに基づいて前記ターゲットブロックを生成する、
ことを有し、
当該方法は更に、
前記第１のブロックチェーンノードによって維持管理される前記ブロックチェーンに前記第１の通信ノードが前記ターゲットブロックを追加するために、前記第２の通信ノードにより、前記ターゲットブロックを前記第１の通信ノードにブロードキャストする、
ことを有する、
請求項７乃至９のいずれか一項に記載の方法。
【請求項１１】
前記第２の通信ノードによりターゲットブロックを前記取得することは、
前記第２の通信ノードにより、前記検証対象データに基づいて前記第１の通信ノードによって生成された前記ターゲットブロックを取得する、
ことを有する、請求項７乃至９のいずれか一項に記載の方法。
【請求項１２】
前記第２の通信ノードによりターゲットブロックを前記取得することの後に、当該方法は更に、
前記第２の通信ノードにより、前記第２のブロックチェーンノードによって維持管理される前記ブロックチェーンに前記ターゲットブロックを追加する、
ことを有する、請求項７乃至９のいずれか一項に記載の方法。
【請求項１３】
データ処理方法であって、当該方法はデータ処理システムに適用され、前記データ処理システムは第１の通信ノード及び第２の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該方法は、
前記第１の通信ノードにより、端末がターゲットセル上に駐留するときに検証対象データを取得し、前記検証対象データは、前記端末の最初のネットワークアクセス認証のデータを有し、前記ターゲットセルは、前記第１の通信ノードの信号カバレッジ内のセルであり、
前記第１の通信ノードにより、前記検証対象データを検証し、
前記第１の通信ノードの検証結果が、前記検証が成功であるというものである場合に、前記第２の通信ノードが前記検証対象データを検証するために、前記第１の通信ノードにより、前記検証対象データを前記第２の通信ノードに送信し、
前記第２の通信ノードの検証結果が、前記検証が成功であるというものである場合に、前記第１の通信ノードにより、ターゲットブロックを取得する、
ことを有する、方法。
【請求項１４】
前記第１の通信ノードによりターゲットブロックを前記取得することの後に、当該方法は更に、
前記第１の通信ノードにより、前記第１のブロックチェーンノードによって維持管理される前記ブロックチェーンに前記ターゲットブロックを追加し、前記ターゲットブロックが追加された前記ブロックチェーンは、前記最初のネットワークアクセス認証を完了した前記端末のネットワークアクセス検証データを検証するために前記第１の通信ノードによって使用される、
ことを有する、請求項１３に記載の方法。
【請求項１５】
データ処理方法であって、当該方法はデータ処理システムに適用され、前記データ処理システムは第１の通信ノード及び第２の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該方法は、
端末がターゲットセル上に駐留するときに、前記第２の通信ノードにより、前記第１の通信ノードによって送信された検証対象データを受信し、前記検証対象データは、前記第１の通信ノードによって成功裏に検証されたデータであり、前記検証対象データは、前記端末の最初のネットワークアクセス認証のデータを有し、前記ターゲットセルは、前記第１の通信ノードの信号カバレッジ内のセルであり、
前記第２の通信ノードにより、前記検証対象データを検証し、
前記第２の通信ノードの検証結果が、前記検証が成功であるというものである場合に、前記第２の通信ノードにより、ターゲットブロックを取得する、
ことを有する、方法。
【請求項１６】
前記第２の通信ノードによりターゲットブロックを前記取得することの後に、当該方法は更に、
前記第２の通信ノードにより、前記第２のブロックチェーンノードによって維持管理される前記ブロックチェーンに前記ターゲットブロックを追加し、前記ターゲットブロックが追加された前記ブロックチェーンは、前記最初のネットワークアクセス認証を完了した前記端末のネットワークアクセス検証データを検証するために前記第２の通信ノードによって使用される、
ことを有する、請求項１５に記載の方法。
【請求項１７】
通信ノードであって、当該通信ノードはデータ処理システム内の第１の通信ノードであり、前記データ処理システムは更に第２の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該通信ノードは、
端末がターゲットセル上に駐留するときに検証対象データを取得するように構成された取得ユニットであり、前記検証対象データは、前記端末の駐留情報に基づいて取得され、前記ターゲットセルは、前記第１の通信ノードの信号カバレッジ内のセルである、取得ユニットと、
前記第２の通信ノードが前記第２のブロックチェーンノードに基づいて前記検証対象データを検証するために、前記検証対象データを前記第２の通信ノードに送信するように構成された送信ユニットと、
を有し、
前記取得ユニットは更に、前記検証が成功であるという検証結果である場合にターゲットブロックを取得するように構成される、
通信ノード。
【請求項１８】
前記端末は、前記端末が前記ターゲットセルにハンドオーバされた後に、前記ターゲットセル上に駐留するステップを実行し、
当該通信ノードは更に処理ユニットを有し、
前記検証対象データが前記端末の駐留情報に基づいて取得されることは、
前記検証対象データが、前記端末がハンドオーバ前に駐留していたセルのセル情報に基づいて前記処理ユニットによって生成され、前記端末がハンドオーバ前に駐留していた前記セルの前記セル情報は、前記端末がハンドオーバ前に駐留していた前記セルのものであって前記第２のブロックチェーンノード内にあるセル情報をマッチングするために、前記第２の通信ノードによって使用される、
ことを有する、
請求項１７に記載の通信ノード。
【請求項１９】
前記端末は、前記端末が前記ターゲットセルにハンドオーバされた又は前記端末の位置が前記ターゲットセルに更新された後に、前記ターゲットセル上に駐留するステップを実行し、
当該通信ノードは更に処理ユニットを有し、
前記検証対象データが前記端末の駐留情報に基づいて取得されることは、
前記検証対象データが、前記端末の許可レベルに基づいて前記処理ユニットによって生成され、前記端末の前記許可レベルは、前記第１の通信ノードに対する前記端末のアクセス許可を前記第２のブロックチェーンノードに基づいて検証するために、前記第２の通信ノードによって使用される、
ことを有する、
請求項１７に記載の通信ノード。
【請求項２０】
前記取得ユニットは具体的に、前記検証対象データに基づいて前記ターゲットブロックを生成するように構成され、
当該通信ノードは更に、
前記第２のブロックチェーンノードによって維持管理される前記ブロックチェーンに前記第２の通信ノードが前記ターゲットブロックを追加するために、前記ターゲットブロックを前記第２の通信ノードにブロードキャストするように構成されたブロックブロードキャストユニット、
を有し、
前記取得ユニットは更に、前記第２の通信ノードによって送信された検証成功メッセージを受信するように構成され、前記検証成功メッセージは、前記ターゲットブロックを生成するステップを実行するように前記取得ユニットに指し示すために使用される、
請求項１７乃至１９のいずれか一項に記載の通信ノード。
【請求項２１】
前記取得ユニットは具体的に、前記検証対象データに基づいて前記第２の通信ノードによって生成された前記ターゲットブロックを取得するように構成される、請求項１７乃至１９のいずれか一項に記載の通信ノード。
【請求項２２】
当該通信ノードは更に、
前記第１のブロックチェーンノードによって維持管理される前記ブロックチェーンに前記ターゲットブロックを追加するように構成されたストレージユニット、
を有する、請求項１７乃至１９のいずれか一項に記載の通信ノード。
【請求項２３】
通信ノードであって、当該通信ノードはデータ処理システム内の第２の通信ノードであり、前記データ処理システムは更に第１の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該通信ノードは、
端末がターゲットセル上に駐留するときに、前記第１の通信ノードによって送信された検証対象データを受信するように構成された受信ユニットであり、前記検証対象データは、前記端末の駐留情報に基づいて前記第１の通信ノードによって取得され、前記ターゲットセルは、前記第１の通信ノードの信号カバレッジ内のセルである、受信ユニットと、
前記第２のブロックチェーンノードに基づいて前記検証対象データを検証するように構成された検証ユニットと、
前記検証が成功であるという検証結果である場合にターゲットブロックを取得するように構成された取得ユニットと、
を有する、通信ノード。
【請求項２４】
前記端末は、前記端末が前記ターゲットセルにハンドオーバされた後に、前記ターゲットセル上に駐留するステップを実行し、
前記検証ユニットは具体的に、
前記第２のブロックチェーンノードにおける過去ハンドオーバ記録に基づいて、前記端末がハンドオーバ前に駐留していたセルのセル情報を割り出し、
前記端末がハンドオーバ前に駐留していた前記セルのものであって前記検証対象データ内にあるセル情報を、前記端末がハンドオーバ前に駐留していた前記セルのものであって前記過去ハンドオーバ記録内にある前記セル情報とマッチングして、マッチング結果を得る、
ように構成される、
請求項２３に記載の通信ノード。
【請求項２５】
前記端末は、前記端末が前記ターゲットセルにハンドオーバされた又は前記端末の位置が前記ターゲットセルに更新された後に、前記ターゲットセル上に駐留するステップを実行し、
前記検証ユニットは具体的に、
前記検証対象データ内の前記端末の許可レベルを割り出し、
前記第２のブロックチェーンノードに基づいて、前記第１の通信ノードに対する前記端末のアクセス許可を検証して、検証結果を得る、
ように構成される、
請求項２３に記載の通信ノード。
【請求項２６】
前記取得ユニットは具体的に、前記検証対象データに基づいて前記ターゲットブロックを生成するように構成され、
当該通信ノードは更に、
前記第１のブロックチェーンノードによって維持管理される前記ブロックチェーンに前記第１の通信ノードが前記ターゲットブロックを追加するために、前記ターゲットブロックを前記第１の通信ノードにブロードキャストするように構成されたブロックブロードキャストユニット、
を有する、
請求項２３乃至２５のいずれか一項に記載の通信ノード。
【請求項２７】
前記取得ユニットは具体的に、前記検証対象データに基づいて前記第１の通信ノードによって生成された前記ターゲットブロックを取得するように構成される、請求項２３乃至２５のいずれか一項に記載の通信ノード。
【請求項２８】
当該通信ノードは更に、
前記第２のブロックチェーンノードによって維持管理される前記ブロックチェーンに前記ターゲットブロックを追加するように構成されたストレージユニット、
を有する、請求項２３乃至２５のいずれか一項に記載の通信ノード。
【請求項２９】
通信ノードであって、当該通信ノードはデータ処理システム内の第１の通信ノードであり、前記データ処理システムは更に第２の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該通信ノードは、
端末がターゲットセル上に駐留するときに検証対象データを取得するように構成された取得ユニットであり、前記検証対象データは、前記端末の最初のネットワークアクセス認証のデータを有し、前記ターゲットセルは、前記第１の通信ノードの信号カバレッジ内のセルである、取得ユニットと、
前記検証対象データを検証するように構成された検証ユニットと、
前記検証ユニットの検証結果が、前記検証が成功であるというものである場合に、前記第２の通信ノードが前記検証対象データを検証するために、前記検証対象データを前記第２の通信ノードに送信するように構成された送信ユニットと、
を有し、
前記取得ユニットは更に、前記第２の通信ノードの検証結果が、前記検証が成功であるというものである場合に、ターゲットブロックを取得するように構成される、
通信ノード。
【請求項３０】
当該通信ノードは更に、
前記第１のブロックチェーンノードによって維持管理される前記ブロックチェーンに前記ターゲットブロックを追加するように構成されたストレージユニットであり、前記ターゲットブロックが追加された前記第１のブロックチェーンノードは、前記最初のネットワークアクセス認証を完了した前記端末のネットワークアクセス検証データを検証するために前記検証ユニットによって使用される、ストレージユニット、
を有する、請求項２９に記載の通信ノード。
【請求項３１】
通信ノードであって、当該通信ノードはデータ処理システム内の第２の通信ノードであり、前記データ処理システムは更に第１の通信ノードを有し、前記第１の通信ノードは第１のブロックチェーンノードに対応し、前記第２の通信ノードは第２のブロックチェーンノードに対応し、前記第１のブロックチェーンノード及び前記第２のブロックチェーンノードは、同じブロックチェーンを維持管理し、当該通信ノードは、
端末がターゲットセル上に駐留するときに、前記第１の通信ノードによって送信された検証対象データを受信するように構成された受信ユニットであり、前記検証対象データは、前記第１の通信ノードによって成功裏に検証されたデータであり、前記検証対象データは、前記端末の最初のネットワークアクセス認証のデータを有し、前記ターゲットセルは、前記第１の通信ノードの信号カバレッジ内のセルである、受信ユニットと、
前記検証対象データを検証するように構成された検証ユニットと、
前記検証ユニットの検証結果が、前記検証が成功であるというものである場合に、ターゲットブロックを取得するように構成された取得ユニットと、
を有する、通信ノード。
【請求項３２】
当該通信ノードは更に、
前記第２のブロックチェーンノードによって維持管理される前記ブロックチェーンに前記ターゲットブロックを追加するように構成されたストレージユニットであり、前記ターゲットブロックが追加された前記ブロックチェーンは、前記最初のネットワークアクセス認証を完了した前記端末のネットワークアクセス検証データを検証するために前記検証ユニットによって使用される、ストレージユニット、
を有する、請求項３１に記載の通信ノード。
【請求項３３】
メモリと、トランシーバと、プロセッサとを有する通信ノードであって、
前記メモリは、プログラム命令を格納するように構成され、
前記トランシーバは、前記プロセッサの制御下で情報を受信又は送信するように構成され、
前記プロセッサは、前記メモリ内の前記プログラム命令を実行するように構成され、
前記プロセッサは、前記メモリ内の前記プログラム命令を呼び出して、請求項１乃至１６のいずれか一項に記載の方法を実行するように構成される、
通信ノード。
【請求項３４】
前記通信ノードはチップである、請求項３３に記載の通信ノード。
【請求項３５】
命令を有したコンピュータ読み取り可能記憶媒体であって、前記命令がコンピュータ上で実行されるときに、前記コンピュータが請求項１乃至１６のいずれか一項に記載の方法を実行することが可能にされる、コンピュータ読み取り可能記憶媒体。
【手続補正２】
【補正対象書類名】明細書
【補正対象項目名】００５３
【補正方法】変更
【補正の内容】
【００５３】
第３の態様によれば、第３の態様の第１の実装において、第１の通信ノードがターゲットブロックを取得した後、第１の通信ノードは、第１のブロックチェーンノードによって維持管理されるブロックチェーンにターゲットブロックを追加し得る。ブロックチェーンにターゲットブロックが追加された後、第１の通信ノードに対応する第１のブロックチェーンノードもターゲットブロックを格納する。第１の通信ノードは、第１のブロックチェーンノードに基づいて、最初のネットワークアクセス認証を完了した端末のネットワークアクセス検証データを検証し得る。
【手続補正３】
【補正対象書類名】明細書
【補正対象項目名】００５９
【補正方法】変更
【補正の内容】
【００５９】
第４の態様によれば、第４の態様の第１の実装において、第２の通信ノードがターゲットブロックを取得した後、第２の通信ノードは、第２のブロックチェーンノードによって維持管理されるブロックチェーンにターゲットブロックを追加し得る。ブロックチェーンにターゲットブロックが追加された後、第２の通信ノードに対応する第２のブロックチェーンノードもターゲットブロックを格納する。第２の通信ノードは、第２のブロックチェーンノードに基づいて、最初のネットワークアクセス認証を完了した端末のネットワークアクセス検証データを検証し得る。
【手続補正４】
【補正対象書類名】明細書
【補正対象項目名】００７４
【補正方法】変更
【補正の内容】
【００７４】
第７の態様によれば、第７の態様の第１の実装において、当該通信ノードは更に、
第１のブロックチェーンノードによって維持管理されるブロックチェーンにターゲットブロックを追加するように構成されたストレージユニットであり、ターゲットブロックが追加された第１のブロックチェーンノードは、最初のネットワークアクセス認証を完了した端末のネットワークアクセス検証データを検証するために検証ユニットによって使用される、ストレージユニット、
を含む。
【手続補正５】
【補正対象書類名】明細書
【補正対象項目名】００７６
【補正方法】変更
【補正の内容】
【００７６】
第８の態様によれば、第８の態様の第１の実装において、当該通信ノードは更に、
第２のブロックチェーンノードによって維持管理されるブロックチェーンにターゲットブロックを追加するように構成されたストレージユニットであり、ターゲットブロックが追加されたブロックチェーンは、最初のネットワークアクセス認証を完了した端末のネットワークアクセス検証データを検証するために検証ユニットによって使用される、ストレージユニット、
を含む。
【手続補正６】
【補正対象書類名】明細書
【補正対象項目名】０１４３
【補正方法】変更
【補正の内容】
【０１４３】
この実施形態におけるステップ４０４は、前述の実施形態におけるステップ２０３と同様である。詳細をここで再び説明することはしない。
【手続補正７】
【補正対象書類名】明細書
【補正対象項目名】０１５６
【補正方法】変更
【補正の内容】
【０１５６】
この実施形態におけるステップ５０４は、前述の実施形態におけるステップ２０３と同様である。詳細をここで再び説明することはしない。
【手続補正８】
【補正対象書類名】明細書
【補正対象項目名】０２０１
【補正方法】変更
【補正の内容】
【０２０１】
オプションで、取得ユニット８０１は具体的に、検証対象データに基づいてターゲットブロックを生成するように構成され、
通信ノードは更に、
第２のブロックチェーンノードによって維持管理されるブロックチェーンに第２の通信ノードがターゲットブロックを追加するように、ターゲットブロックを第２の通信ノードにブロードキャストするように構成されたブロックブロードキャストユニット８０４、
を含み、
取得ユニット８０１は更に、第２の通信ノードによって送信された検証成功メッセージを受信するように構成され、検証成功メッセージは、ターゲットブロックを生成するステップを実行するように取得ユニット８０１に指し示すために使用される。
【手続補正９】
【補正対象書類名】明細書
【補正対象項目名】０２０３
【補正方法】変更
【補正の内容】
【０２０３】
オプションで、通信ノードは更に、
第１のブロックチェーンノードによって維持管理されるブロックチェーンにターゲットブロックを追加するように構成されたストレージユニット８０５、
を含む。
【手続補正１０】
【補正対象書類名】明細書
【補正対象項目名】０２１３
【補正方法】変更
【補正の内容】
【０２１３】
オプションで、通信ノードは更に、
第１のブロックチェーンノードによって維持管理されるブロックチェーンにターゲットブロックを追加するように構成されたストレージユニット１００４であり、ターゲットブロックが追加された第１のブロックチェーンノードは、最初のネットワークアクセス認証を完了した端末のネットワークアクセス検証データを検証するために検証ユニット１００２によって使用される、ストレージユニット１００４、
を含む。
【手続補正１１】
【補正対象書類名】明細書
【補正対象項目名】０２１６
【補正方法】変更
【補正の内容】
【０２１６】
オプションで、通信ノードは更に、
第２のブロックチェーンノードによって維持管理されるブロックチェーンにターゲットブロックを追加するように構成されたストレージユニット１１０４であり、ターゲットブロックが追加されたブロックチェーンは、最初のネットワークアクセス認証のデータを完了した端末のネットワークアクセス検証データを検証するために検証ユニット１１０２によって使用される、ストレージユニット１１０４、
を含む。
【国際調査報告】
2022501960.tif 000018
2022501960.tif 000019
2022501960.tif 000020
2022501960.tif 000021